(57)【要約】【課題】複数の無線通信方式を備えた無線通信装置間で通信確立を行うことと、複数の無線通信方式で接続されているかどうかの確認を簡単且つ短時間で行える無線通信システム、無線通信装置及び無線通信方法を提供する。【解決手段】第１無線通信装置１０は、確認キーを生成して自身のＷｉＦｉ通信部から第２無線通信装置２０に向けて送信し、第２無線通信装置２０は、自身のＷｉＦｉ通信部で確認キーを受信し、該確認キーを自身のＢＴ通信部から送信し、第１無線通信装置１０は、自身のＢＴ通信部で確認キーを受信すると、自身のＢＴ通信部で受信した確認キーと、自身のＷｉＦｉ通信部が先に送信した確認キーとを照合し、自身のＢＴ通信部で受信した確認キーが自身のＷｉＦｉ通信部から送信した確認キーと対応する場合、第２無線通信装置２０と通信可能である旨であるペアリング成功表示を表示部１０１に表示する。【選択図】図１
2012175148.tif 000002
【特許請求の範囲】
【請求項１】
少なくとも第１無線通信方式に準拠する第１無線通信部と、少なくとも第２無線通信方式に準拠する第２無線通信部と、を備える第１無線通信装置と、
少なくとも前記第１無線通信方式に準拠する第３無線通信部と、少なくとも前記第２無線通信方式に準拠する第４無線通信部と、を備える第２無線通信装置と、を有する無線通信システムであって、
前記第１無線通信装置は、確認キーを、前記第１無線通信部を介して前記第３無線通信部へ送信し、
前記第２無線通信装置は、前記第３無線通信部で受信した前記確認キーを、前記第４無線通信部を介して、前記第２無線通信部へ送信し、
前記第２無線通信部で受信した確認キーが、前記第１無線通信部を介して送信した確認キーと対応する場合、前記第１無線通信装置は、第１無線通信部及び第２無線通信部が、前記第２無線通信装置と通信可能である旨を報知する無線通信システム。
【請求項２】
請求項１に記載の無線通信システムであって、
前記確認キーは、文字列である無線通信システム。
【請求項３】
請求項１又は請求項２に記載の無線通信システムであって、
前記第１の無線通信装置は第１の携帯端末であり、前記第２の無線通信装置は第２の携帯端末である無線通信システム。
【請求項４】
請求項１から請求項３のいずれか１項に記載の無線通信システムであって、
前記第１無線通信方式はワイファイであり、前記第２無線通信方式はブルートゥースである無線通信システム。
【請求項５】
少なくとも第１無線通信方式に準拠する第１無線通信部と、少なくとも第２無線通信方式に準拠する第２無線通信部と、を備え、
確認キーを、前記第１無線通信部を介して送信し、
前記第２無線通信部で受信した確認キーが、前記第１無線通信部を介して送信した確認キーと対応する場合、第１無線通信部及び第２無線通信部が、所定の無線通信装置と通信可能である旨を報知する無線通信装置。
【請求項６】
少なくとも第１無線通信方式に準拠する第１無線通信部と、少なくとも第２無線通信方式に準拠する第２無線通信部と、を備える第１無線通信装置と、
少なくとも前記第１通信方式に準拠する第３無線通信部と、少なくとも前記第２通信方式に準拠する第４無線通信部と、を備える第２無線通信装置と、を有する無線通信システムに関する無線通信方法であって、
前記第１無線通信装置が、確認キーを、前記第１無線通信部を介して前記第３無線通信部へ送信する第１ステップと、
前記第２無線通信装置は、前記第３無線通信部で受信した前記確認キーを、前記第４無線通信部を介して、前記第２無線通信部へ送信する第２ステップと、
前記第２無線通信部で受信した確認キーが、前記第１無線通信部を介して送信した確認キーと対応する場合、前記第１無線通信装置は、第１無線通信部及び第２無線通信部が、前記第２無線通信装置と通信可能である旨を報知する第３ステップと、を有する無線通信方法。
【請求項７】
請求項６に記載の無線通信方法であって、
ユーザによる入力を受け付ける入力受付ステップと、
第１無線通信部の通信を確立させる第１通信確立ステップと、
第２無線通信部の通信を確立させる第２通信確立ステップと、を備え、
前記第２通信確立ステップの後に、前記第１ステップに進む無線通信方法。
【請求項８】
少なくとも第１無線通信方式に準拠する第１無線通信部と、少なくとも第２無線通信方式に準拠する第２無線通信部と、を備える第１無線通信装置と、
少なくとも前記第１無線通信方式に準拠する第３無線通信部と、少なくとも前記第２無線通信方式に準拠する第４無線通信部と、を備える第２無線通信装置と、を有する無線通信システムであって、
前記第１無線通信装置は、確認キーを、前記第１無線通信部を介して前記第３無線通信部へ送信し、前記確認キーを、前記第２無線通信部を介して前記第４無線通信部へ送信し、
前記第２無線通信装置は、前記第３無線通信部で受信した前記確認キーが、前記第４無線通信部で受信した前記確認キーと対応する場合、前記第４無線通信部を介して前記第２無線通信部へ又は／及び前記第３無線通信部を介して前記第１無線通信部へ、前記２つの確認キーが対応する旨、送信し、
前記第１無線通信装置は、前記２つの確認キーが対応する旨を受信する場合、第１無線通信部及び第２無線通信部が、前記第２無線通信装置と通信可能である旨を報知する無線通信システム。
【請求項９】
少なくとも第１無線通信方式に準拠する第１無線通信部と、少なくとも第２無線通信方式に準拠する第２無線通信部と、を備え、
確認キーを、前記第１無線通信部を介して送信し、前記確認キーを、前記第２無線通信部を介して送信し、
前記第１無線通信部又は／及び前記第２無線通信部が、前記２つの確認キーが対応する旨を受信する場合、第１無線通信部及び第２無線通信部が、所定の無線通信装置と通信可能である旨を報知する無線通信装置。
【請求項１０】
少なくとも第１無線通信方式に準拠する第３無線通信部と、少なくとも第２無線通信方式に準拠する第４無線通信部と、を備え、
前記第３無線通信部は確認キーを受信し、前記第４無線通信部は確認キーを受信し、
前記第３無線通信部で受信した前記確認キーが、前記第４無線通信部で受信した前記確認キーと対応する場合、前記第４無線通信部を介して又は／及び前記第３無線通信部を介して、前記２つの確認キーが対応する旨、送信する無線通信装置。
【請求項１１】
少なくとも第１無線通信方式に準拠する第１無線通信部と、少なくとも第２無線通信方式に準拠する第２無線通信部と、を備える第１無線通信装置と、
少なくとも前記第１通信方式に準拠する第３無線通信部と、少なくとも前記第２通信方式に準拠する第４無線通信部と、を備える第２無線通信装置と、を有する無線通信システムに関する無線通信方法であって、
前記第１無線通信装置が、確認キーを、前記第１無線通信部を介して前記第３無線通信部へ送信する第１ステップと、
前記第１無線通信装置が、前記確認キーを、前記第２無線通信部を介して前記第４無線通信部へ送信する第２ステップと、
前記第２無線通信装置が、前記第１ステップで受信した前記確認キーが、前記第２ステップで受信した前記確認キーと対応する場合、前記第４無線通信部を介して前記第２無線通信部へ又は／及び前記第３無線通信部を介して前記第１無線通信部へ、前記２つの確認キーが対応する旨、送信する第３ステップと、を有する無線通信方法。
【請求項１２】
少なくとも第１無線通信方式に準拠する第１無線通信部と、少なくとも第２無線通信方式に準拠する第２無線通信部と、を備える第１無線通信装置と、
少なくとも前記第１無線通信方式に準拠する第３無線通信部と、少なくとも前記第２無線通信方式に準拠する第４無線通信部と、を備える第２無線通信装置と、を有する無線通信システムであって、
前記第１無線通信装置は、確認キーを、前記第１無線通信部を介して前記第３無線通信部へ送信し、
前記第２無線通信装置は、前記第３無線通信部で受信した前記確認キーを、前記第４無線通信部を介して前記第２無線通信部へ送信し、
前記第１無線通信装置は、前記第２無線通信部で受信した前記確認キーに対して所定の演算を施し、前記演算の結果を、前記第１無線通信部を介して前記第３無線通信部へ又は／及び前記第２無線通信部を介して前記第４無線通信部へ送信し、
前記演算の結果が、前記第４無線通信部を介して前記第２無線通信部へ送信した前記確認キーに対応する場合、前記第２無線通信装置は、前記演算の結果が前記確認キーと対応する旨を、前記第３無線通信部を介して前記第１無線通信部へ又は／及び前記第４無線通信部を介して前記第２無線通信部へ送信し、
前記第１無線通信装置は、前記演算の結果が前記確認キーと対応する旨を受信した場合、第１無線通信部及び第２無線通信部が、前記第２無線通信装置と通信可能である旨を報知する無線通信システム。
【請求項１３】
少なくとも第１無線通信方式に準拠する第１無線通信部と、少なくとも第２無線通信方式に準拠する第２無線通信部と、を備え、
確認キーを、前記第１無線通信部を介して送信し、
前記確認キーを、前記第２無線通信部を介して受信し、
前記第２無線通信部で受信した前記確認キーに対して所定の演算を施し、前記演算の結果を、前記第１無線通信部又は／及び前記第２無線通信部を介して送信し、
前記演算の結果が前記確認キーと対応する旨を、前記第１無線通信部又は／及び前記第２無線通信部で受信した場合、第１無線通信部及び第２無線通信部が、所定の無線通信装置と通信可能である旨を報知する無線通信装置。
【請求項１４】
少なくとも前記第１無線通信方式に準拠する第３無線通信部と、少なくとも前記第２無線通信方式に準拠する第４無線通信部と、を備え、
確認キーを、前記第３無線通信部で受信し、
前記確認キーを、前記第４無線通信部を介して送信し、
演算の結果を、前記第３無線通信部又は／及び前記第４無線通信部で受信し、
前記演算の結果が、前記第４無線通信部を介して送信した前記確認キーに対応する場合、前記演算の結果が前記確認キーと対応する旨を、前記第３無線通信部又は／及び前記第４無線通信部を介して送信する無線通信装置。
【請求項１５】
少なくとも第１無線通信方式に準拠する第１無線通信部と、少なくとも第２無線通信方式に準拠する第２無線通信部と、を備える第１無線通信装置と、
少なくとも前記第１通信方式に準拠する第３無線通信部と、少なくとも前記第２通信方式に準拠する第４無線通信部と、を備える第２無線通信装置と、を有する無線通信システムに関する無線通信方法であって、
前記第１無線通信装置は、確認キーを、前記第１無線通信部を介して前記第３無線通信部へ送信し、
前記第２無線通信装置は、前記第３無線通信部で受信した前記確認キーを、前記第４無線通信部を介して前記第２無線通信部へ送信し、
前記第１無線通信装置が、前記第２無線通信部で受信した前記確認キーに対して所定の演算を施す第１ステップと、
前記第１無線通信装置が、前記演算の結果を、前記第１無線通信部を介して前記第３無線通信部へ又は／及び前記第２無線通信部を介して前記第４無線通信部へ送信する第２ステップと、
前記演算の結果が、前記第４無線通信部を介して前記第２無線通信部へ送信した前記確認キーに対応する場合、前記第２無線通信装置が、前記演算の結果が前記確認キーと対応する旨を、前記第３無線通信部を介して前記第１無線通信部へ又は／及び前記第４無線通信部を介して前記第２無線通信部へ送信する第３ステップと、
前記第１無線通信装置が、前記演算の結果が前記確認キーと対応する旨を受信した場合、第１無線通信部及び第２無線通信部が、前記第２無線通信装置と通信可能である旨を、前記第１無線通信装置が報知する第４ステップと、を有する無線通信方法。
【請求項１６】
少なくとも第１無線通信方式に準拠する第１無線通信部と、少なくとも第２無線通信方式に準拠する第２無線通信部と、を備える第１無線通信装置と、
少なくとも前記第１無線通信方式に準拠する第３無線通信部と、少なくとも前記第２無線通信方式に準拠する第４無線通信部と、を備える第２無線通信装置と、を有する無線通信システムであって、
前記第１無線通信装置は、確認キーを、前記第１無線通信部を介して前記第３無線通信部へ送信し、前記確認キーを、前記第２無線通信部を介して前記第４無線通信部へ送信し、
前記第２無線通信装置は、前記第３無線通信部又は／及び前記第４無線通信部で受信した前記確認キーに対して所定の演算を施し、前記演算の結果を、前記第３無線通信部を介して前記第１無線通信部へ又は／及び前記第４無線通信部を介して前記第２無線通信部へ送信し、
前記第１無線通信部又は／及び前記第２無線通信部で受信した前記演算の結果が、前記第１無線通信部及び前記第２無線通信部を介して送信した確認キーと対応する場合、前記第１無線通信装置は、第１無線通信部及び第２無線通信部が、前記第２無線通信装置と通信可能である旨を報知する無線通信システム。
【請求項１７】
少なくとも第１無線通信方式に準拠する第１無線通信部と、少なくとも第２無線通信方式に準拠する第２無線通信部と、を備え、
確認キーを、前記第１無線通信部を介して送信し、
前記確認キーを、前記第２無線通信部を介して送信し、
演算の結果を、前記第１無線通信部又は／及び前記第２無線通信部で受信し、
前記第１無線通信部又は／及び前記第２無線通信部で受信した前記演算の結果が、前記第１無線通信部及び前記第２無線通信部を介して送信した確認キーと対応する場合、第１無線通信部及び第２無線通信部が、所定の無線通信装置と通信可能である旨を報知する無線通信装置。
【請求項１８】
少なくとも第１無線通信方式に準拠する第３無線通信部と、少なくとも第２無線通信方式に準拠する第４無線通信部と、を備え、
確認キーを、前記第３無線通信部で受信し、確認キーを、前記第４無線通信部で受信し、
前記第３無線通信部又は／及び前記第４無線通信部で受信した前記確認キーに対して所定の演算を施し、前記演算の結果を、前記第３無線通信部又は／及び前記第４無線通信部を介して送信する無線通信装置。
【請求項１９】
少なくとも第１無線通信方式に準拠する第１無線通信部と、少なくとも第２無線通信方式に準拠する第２無線通信部と、を備える第１無線通信装置と、
少なくとも前記第１通信方式に準拠する第３無線通信部と、少なくとも前記第２通信方式に準拠する第４無線通信部と、を備える第２無線通信装置と、を有する無線通信システムに関する無線通信方法であって、
前記第１無線通信装置が、確認キーを、前記第１無線通信部を介して前記第３無線通信部へ送信する第１ステップと、
前記第１無線通信装置が、前記確認キーを、前記第２無線通信部を介して前記第４無線通信部へ送信する第２ステップと、
前記第２無線通信装置が、前記第３無線通信部又は／及び前記第４無線通信部で受信した前記確認キーに対して所定の演算を施し、前記演算の結果を、前記第３無線通信部を介して前記第１無線通信部へ又は／及び前記第４無線通信部を介して前記第２無線通信部へ送信する第３ステップと、
前記第１無線通信部又は／及び前記第２無線通信部で受信した前記演算の結果が、前記第１無線通信部及び前記第２無線通信部を介して送信した確認キーと対応する場合、前記第１無線通信装置が、第１無線通信部及び第２無線通信部が、前記第２無線通信装置と通信可能である旨を報知する第４ステップと、を有する無線通信方法。
【発明の詳細な説明】
【技術分野】
【０００１】
本発明は、ワイファイ（Ｗｉ‐Ｆｉ：Wireless Fidelity）やブルートゥースなどを利用した複数の無線通信方式で通信が可能な無線通信装置を備えた無線通信システム、該無線通信システムを構成する無線通信装置及び前記無線通信システムに関する無線通信方法に関する。
【背景技術】
【０００２】
近年、複数の無線通信方式で通信が可能な無線通信装置が普及してきており、その１つとして携帯電話とＰＤＡ（Personal Digital Assistant）を融合させたスマートフォンと呼ばれるものや、スマートパッドと呼ばれるものがある。スマートフォンは、携帯電話機能の他にワイファイやブルートゥースなどの無線通信機能、スケジュール機能及び個人情報管理機能などの多種多様な機能を有している。他方、スマートパッドは、携帯電話機能を持つものもあるが、一般的にワイファイやブルートゥースなどの無線通信機能のみ持っている。また、スマートパッドは、スマートフォンよりも大型である。
【０００３】
上述したワイファイやブルートゥースなどを利用した複数の無線通信方式で通信が可能な無線通信装置間で通信確立を行う技術として、例えば特許文献１に記載された技術がある。この特許文献１には、それぞれが２つの無線通信方式を採用した２台の無線通信装置間で通信を行う際、第１無線通信装置が第２無線通信方式の無線通信部の出力をＬｏｗにして接続要求をブロードキャストし、ブロードキャストされた接続要求を第２無線通信装置が受信し、接続許可を第２無線通信方式の無線通信部で第１無線通信装置へ送信する。２台の無線通信装置間で接続要求、接続許可のやり取りが行われ、その後にＩＰアドレスの交換が終了した後、第１無線通信装置が第２無線通信方式の無線通信部の出力をＨｉにして無線通信を開始する技術が開示されている。
【０００４】
なお、複数の無線通信方式で通信を行うものではないが、１台のマスタ装置と複数台のスレーブ装置における通信確立する方法として、特許文献２に記載された方法がある。この特許文献２には、マスタ装置と複数のスレーブ装置における通信確立の際に、マスタ装置に表示されたパスワードと、スレーブ装置でユーザが入力したパスワードの一致を判定して、一致した場合にマスタ装置とスレーブ装置との間での通信確立を行う技術が開示されている。
【先行技術文献】
【特許文献】
【０００５】
【特許文献１】特開２００６−１６５８３１号公報
【特許文献２】特開２００１−１７５６０２号公報
【発明の概要】
【発明が解決しようとする課題】
【０００６】
しかしながら、複数の無線通信方式を備えた無線通信装置間で通信確立を行うことと、複数の無線通信方式で接続されているかどうかの確認を行うには、操作が煩雑で時間がかかるという課題がある。
【０００７】
本発明は、係る事情に鑑みてなされたものであり、複数の無線通信方式を備えた無線通信装置間で通信確立を行うことと、複数の無線通信方式で接続されているかどうかの確認を簡単且つ短時間で行える無線通信システム、無線通信装置及び無線通信方法を提供することを目的とする。
【課題を解決するための手段】
【０００８】
請求項１の無線通信システムの発明は、少なくとも第１無線通信方式に準拠する第１無線通信部と、少なくとも第２無線通信方式に準拠する第２無線通信部と、を備える第１無線通信装置と、少なくとも前記第１無線通信方式に準拠する第３無線通信部と、少なくとも前記第２無線通信方式に準拠する第４無線通信部と、を備える第２無線通信装置と、を有する無線通信システムであって、前記第１無線通信装置は、確認キーを、前記第１無線通信部を介して前記第３無線通信部へ送信し、前記第２無線通信装置は、前記第３無線通信部で受信した前記確認キーを、前記第４無線通信部を介して、前記第２無線通信部へ送信し、前記第２無線通信部で受信した確認キーが、前記第１無線通信部を介して送信した確認キーと対応する場合、前記第１無線通信装置は、第１無線通信部及び第２無線通信部が、前記第２無線通信装置と通信可能である旨を報知する。
【０００９】
上記構成によれば、第１無線通信装置は、確認キーを、自身の第１無線通信部から第２無線通信装置の第３無線通信部へ送信し、第２無線通信装置は、自身の第３無線通信部で受信した確認キーを、自身の第４無線通信部から第１無線通信装置の第２無線通信部へ送信し、第１無線通信装置は、自身の第２無線通信部で受信した確認キーが、自身の第１無線通信部から送信した確認キーと対応する場合、自身の第１無線通信部及び第２無線通信部が、第２無線通信装置と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【００１０】
請求項２の無線通信システムの発明は、請求項１の無線通信システムの発明であって、前記確認キーは、文字列である。
【００１１】
請求項３の無線通信システムの発明は、請求項１又は請求項２の無線通信システムの発明であって、前記第１の無線通信装置は第１の携帯端末であり、前記第２の無線通信装置は第２の携帯端末である。
【００１２】
請求項４の無線通信システムの発明は、請求項１から請求項３のいずれか１項の無線通信システムの発明であって、前記第１無線通信方式はワイファイであり、前記第２無線通信方式はブルートゥースである。
【００１３】
請求項５の無線通信装置の発明は、少なくとも第１無線通信方式に準拠する第１無線通信部と、少なくとも第２無線通信方式に準拠する第２無線通信部と、を備え、確認キーを、前記第１無線通信部を介して送信し、前記第２無線通信部で受信した確認キーが、前記第１無線通信部を介して送信した確認キーと対応する場合、第１無線通信部及び第２無線通信部が、所定の無線通信装置と通信可能である旨を報知する。
【００１４】
上記構成によれば、無線通信装置は、第１無線通信部で確認キーを送信し、第２無線通信部で確認キーを受信し、受信した確認キーが、第１無線通信部から送信した確認キーと対応する場合、第１無線通信部及び第２無線通信部が、所定の無線通信装置と通信可能である旨を報知するので、無線通信装置と所定の無線通信装置とが２つの無線通信方式で接続されているかどうかを簡単且つ短時間で確認することができる。
【００１５】
請求項６の無線通信方法の発明は、少なくとも第１無線通信方式に準拠する第１無線通信部と、少なくとも第２無線通信方式に準拠する第２無線通信部と、を備える第１無線通信装置と、少なくとも前記第１通信方式に準拠する第３無線通信部と、少なくとも前記第２通信方式に準拠する第４無線通信部と、を備える第２無線通信装置と、を有する無線通信システムに関する無線通信方法であって、前記第１無線通信装置が、確認キーを、前記第１無線通信部を介して前記第３無線通信部へ送信する第１ステップと、前記第２無線通信装置は、前記第３無線通信部で受信した前記確認キーを、前記第４無線通信部を介して、前記第２無線通信部へ送信する第２ステップと、前記第２無線通信部で受信した確認キーが、前記第１無線通信部を介して送信した確認キーと対応する場合、前記第１無線通信装置は、第１無線通信部及び第２無線通信部が、前記第２無線通信装置と通信可能である旨を報知する第３ステップと、を有する。
【００１６】
上記方法によれば、第１無線通信装置は、確認キーを、自身の第１無線通信部から第２無線通信装置の第３無線通信部へ送信し、第２無線通信装置は、自身の第３無線通信部で受信した確認キーを、自身の第４無線通信部から第１無線通信装置の第２無線通信部へ送信し、第１無線通信装置は、自身の第２無線通信部で受信した確認キーが、自身の第１無線通信部から送信した確認キーと対応する場合、自身の第１無線通信部及び第２無線通信部が、第２無線通信装置と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【００１７】
請求項７の無線通信方法の発明は、請求項６の無線通信方法の発明であって、ユーザによる入力を受け付ける入力受付ステップと、第１無線通信部の通信を確立させる第１通信確立ステップと、第２無線通信部の通信を確立させる第２通信確立ステップと、を備え、前記第２通信確立ステップの後に、前記第１ステップに進む。
【００１８】
上記方法によれば、２つの無線通信方式を備えた無線通信装置間での通信確立を容易に行える。
【００１９】
請求項８の無線通信システムの発明は、少なくとも第１無線通信方式に準拠する第１無線通信部と、少なくとも第２無線通信方式に準拠する第２無線通信部と、を備える第１無線通信装置と、少なくとも前記第１無線通信方式に準拠する第３無線通信部と、少なくとも前記第２無線通信方式に準拠する第４無線通信部と、を備える第２無線通信装置と、を有する無線通信システムであって、前記第１無線通信装置は、確認キーを、前記第１無線通信部を介して前記第３無線通信部へ送信し、前記確認キーを、前記第２無線通信部を介して前記第４無線通信部へ送信し、前記第２無線通信装置は、前記第３無線通信部で受信した前記確認キーが、前記第４無線通信部で受信した前記確認キーと対応する場合、前記第４無線通信部を介して前記第２無線通信部へ又は／及び前記第３無線通信部を介して前記第１無線通信部へ、前記２つの確認キーが対応する旨、送信し、前記第１無線通信装置は、前記２つの確認キーが対応する旨を受信する場合、第１無線通信部及び第２無線通信部が、前記第２無線通信装置と通信可能である旨を報知する。
【００２０】
上記構成によれば、第１無線通信装置は、確認キーを、自身の第１無線通信部から第２無線通信装置の第３無線通信部へ送信し、また、第１無線通信装置は、確認キーを、自身の第２無線通信部から第２無線通信装置の第４無線通信部へ送信し、第２無線通信装置は、自身の第３無線通信部で受信した確認キーが、自身の第４無線通信部で受信した確認キーと対応する場合、自身の第４無線通信部から第１無線通信装置の第２無線通信部へ、又は／及び、自身の第３無線通信部から第１無線通信装置の第１無線通信部へ、２つの確認キーが対応する旨を通知し、第１無線通信装置は、２つの確認キーが対応する旨を受信する場合、自身の第１無線通信部及び自身の第２無線通信部が、第２無線通信装置と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【００２１】
請求項９の無線通信装置の発明は、少なくとも第１無線通信方式に準拠する第１無線通信部と、少なくとも第２無線通信方式に準拠する第２無線通信部と、を備え、確認キーを、前記第１無線通信部を介して送信し、前記確認キーを、前記第２無線通信部を介して送信し、前記第１無線通信部又は／及び前記第２無線通信部が、前記２つの確認キーが対応する旨を受信する場合、第１無線通信部及び第２無線通信部が、所定の無線通信装置と通信可能である旨を報知する。
【００２２】
上記構成によれば、第１無線通信部が確認キーを送信し、第２無線通信部も確認キーを送信し、第１無線通信部又は／及び第２無線通信部が、２つの確認キーが対応する旨を受信した場合、第１無線通信部及び第２無線通信部が、所定の無線通信装置と通信可能である旨を報知するので、無線通信装置と所定の無線通信装置とが２つの無線通信方式で接続されているかどうかを簡単且つ短時間で確認することができる。
【００２３】
請求項１０の無線通信装置の発明は、少なくとも第１無線通信方式に準拠する第３無線通信部と、少なくとも第２無線通信方式に準拠する第４無線通信部と、を備え、前記第３無線通信部は確認キーを受信し、前記第４無線通信部は確認キーを受信し、前記第３無線通信部で受信した前記確認キーが、前記第４無線通信部で受信した前記確認キーと対応する場合、前記第４無線通信部を介して又は／及び前記第３無線通信部を介して、前記２つの確認キーが対応する旨、送信する。
【００２４】
上記構成によれば、第３無線通信部が確認キーを受信し、第４無線通信部も確認キーを受信し、第３無線通信部で受信した確認キーが、第４無線通信部で受信した確認キーと対応する場合、第４無線通信部から又は／及び第３無線通信部から２つの確認キーが対応する旨を送信するので、無線通信装置と所定の無線通信装置とが２つの無線通信方式で接続されているかどうかを簡単且つ短時間で確認することができる。
【００２５】
請求項１１の無線通信方法の発明は、少なくとも第１無線通信方式に準拠する第１無線通信部と、少なくとも第２無線通信方式に準拠する第２無線通信部と、を備える第１無線通信装置と、少なくとも前記第１通信方式に準拠する第３無線通信部と、少なくとも前記第２通信方式に準拠する第４無線通信部と、を備える第２無線通信装置と、を有する無線通信システムに関する無線通信方法であって、前記第１無線通信装置が、確認キーを、前記第１無線通信部を介して前記第３無線通信部へ送信する第１ステップと、前記第１無線通信装置が、前記確認キーを、前記第２無線通信部を介して前記第４無線通信部へ送信する第２ステップと、前記第２無線通信装置が、前記第１ステップで受信した前記確認キーが、前記第２ステップで受信した前記確認キーと対応する場合、前記第４無線通信部を介して前記第２無線通信部へ又は／及び前記第３無線通信部を介して前記第１無線通信部へ、前記２つの確認キーが対応する旨、送信する第３ステップと、を有する。
【００２６】
上記方法によれば、第１無線通信装置において、第１無線通信部が確認キーを第２無線通信装置の第３無線通信部へ送信し、また、第２無線通信部が確認キーを第２無線通信装置の第４無線通信部へ送信し、第２無線通信装置において、第３無線通信部で受信した確認キーが、第４無線通信部で受信した確認キーと対応する場合、第４無線通信部から第１無線通信装置の第２無線通信部へ又は／及び自身の第３無線通信部から第１無線通信装置の第１無線通信部へ、２つの確認キーが対応する旨を送信するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【００２７】
請求項１２の無線通信システムの発明は、少なくとも第１無線通信方式に準拠する第１無線通信部と、少なくとも第２無線通信方式に準拠する第２無線通信部と、を備える第１無線通信装置と、少なくとも前記第１無線通信方式に準拠する第３無線通信部と、少なくとも前記第２無線通信方式に準拠する第４無線通信部と、を備える第２無線通信装置と、を有する無線通信システムであって、前記第１無線通信装置は、確認キーを、前記第１無線通信部を介して前記第３無線通信部へ送信し、前記第２無線通信装置は、前記第３無線通信部で受信した前記確認キーを、前記第４無線通信部を介して前記第２無線通信部へ送信し、前記第１無線通信装置は、前記第２無線通信部で受信した前記確認キーに対して所定の演算を施し、前記演算の結果を、前記第１無線通信部を介して前記第３無線通信部へ又は／及び前記第２無線通信部を介して前記第４無線通信部へ送信し、前記演算の結果が、前記第４無線通信部を介して前記第２無線通信部へ送信した前記確認キーに対応する場合、前記第２無線通信装置は、前記演算の結果が前記確認キーと対応する旨を、前記第３無線通信部を介して前記第１無線通信部へ又は／及び前記第４無線通信部を介して前記第２無線通信部へ送信し、前記第１無線通信装置は、前記演算の結果が前記確認キーと対応する旨を受信した場合、第１無線通信部及び第２無線通信部が、前記第２無線通信装置と通信可能である旨を報知する。
【００２８】
上記構成によれば、第１無線通信装置は、確認キーを、第１無線通信部から第２無線通信装置の第３無線通信部へ送信し、第２無線通信装置は、第３無線通信部で受信した確認キーを、第４無線通信部から第１無線通信装置の第２無線通信部へ送信し、第１無線通信装置は、第２無線通信部で受信した確認キーに対して所定の演算を施し、演算の結果を、第１無線通信部から第２無線通信装置の第３無線通信部へ又は／及び自身の第２無線通信部から第２無線通信装置の第４無線通信部へ送信し、第２無線通信装置は、受信した演算の結果が、第４無線通信部から第２無線通信部へ送信した確認キーに対応する場合、演算結果が確認キーと対応する旨を、第３無線通信部から第１無線通信装置の第１無線通信部へ又は／及び自身の第４無線通信部から第１無線通信装置の第２無線通信部へ送信し、第１無線通信装置は、演算結果が確認キーと対応する旨を受信した場合、自身の第１無線通信部及び第２無線通信部が、第２無線通信装置と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【００２９】
請求項１３の無線通信装置の発明は、少なくとも第１無線通信方式に準拠する第１無線通信部と、少なくとも第２無線通信方式に準拠する第２無線通信部と、を備え、確認キーを、前記第１無線通信部を介して送信し、前記確認キーを、前記第２無線通信部を介して受信し、前記第２無線通信部で受信した前記確認キーに対して所定の演算を施し、前記演算の結果を、前記第１無線通信部又は／及び前記第２無線通信部を介して送信し、前記演算の結果が前記確認キーと対応する旨を、前記第１無線通信部又は／及び前記第２無線通信部で受信した場合、第１無線通信部及び第２無線通信部が、所定の無線通信装置と通信可能である旨を報知する。
【００３０】
上記構成によれば、無線通信装置は、確認キーを、自身の第１無線通信部から送信し、また、確認キーを、自身の第２無線通信部を介して受信し、受信した確認キーに対して所定の演算を施し、その結果を、自身の第１無線通信部又は／及び第２無線通信部から送信し、演算の結果が確認キーと対応する旨を、自身の第１無線通信部又は／及び第２無線通信部で受信した場合、第１無線通信部及び第２無線通信部が、所定の無線通信装置と通信可能である旨を報知するので、無線通信装置と所定の無線通信装置とが２つの無線通信方式で接続されているかどうかを簡単且つ短時間で確認することができる。
【００３１】
請求項１４の無線通信装置の発明は、少なくとも前記第１無線通信方式に準拠する第３無線通信部と、少なくとも前記第２無線通信方式に準拠する第４無線通信部と、を備え、確認キーを、前記第３無線通信部で受信し、前記確認キーを、前記第４無線通信部を介して送信し、演算の結果を、前記第３無線通信部又は／及び前記第４無線通信部で受信し、前記演算の結果が、前記第４無線通信部を介して送信した前記確認キーに対応する場合、前記演算の結果が前記確認キーと対応する旨を、前記第３無線通信部又は／及び前記第４無線通信部を介して送信する。
【００３２】
上記構成によれば、無線通信装置は、確認キーを、自身の第３無線通信部で受信し、また、確認キーを、自身の第４無線通信部から送信し、演算の結果を、自身の第３無線通信部又は／及び自身の第４無線通信部で受信し、演算の結果が、自身の第４無線通信部から送信した確認キーに対応する場合、演算結果が確認キーと対応する旨を、自身の第３無線通信部又は／及び自身の第４無線通信部を介して送信するので、無線通信装置と所定の無線通信装置とが２つの無線通信方式で接続されているかどうかを簡単且つ短時間で確認することができる。
【００３３】
請求項１５の無線通信方法の発明は、少なくとも第１無線通信方式に準拠する第１無線通信部と、少なくとも第２無線通信方式に準拠する第２無線通信部と、を備える第１無線通信装置と、少なくとも前記第１通信方式に準拠する第３無線通信部と、少なくとも前記第２通信方式に準拠する第４無線通信部と、を備える第２無線通信装置と、を有する無線通信システムに関する無線通信方法であって、前記第１無線通信装置は、確認キーを、前記第１無線通信部を介して前記第３無線通信部へ送信し、前記第２無線通信装置は、前記第３無線通信部で受信した前記確認キーを、前記第４無線通信部を介して前記第２無線通信部へ送信し、前記第１無線通信装置が、前記第２無線通信部で受信した前記確認キーに対して所定の演算を施す第１ステップと、前記第１無線通信装置が、前記演算の結果を、前記第１無線通信部を介して前記第３無線通信部へ又は／及び前記第２無線通信部を介して前記第４無線通信部へ送信する第２ステップと、前記演算の結果が、前記第４無線通信部を介して前記第２無線通信部へ送信した前記確認キーに対応する場合、前記第２無線通信装置が、前記演算の結果が前記確認キーと対応する旨を、前記第３無線通信部を介して前記第１無線通信部へ又は／及び前記第４無線通信部を介して前記第２無線通信部へ送信する第３ステップと、前記第１無線通信装置が、前記演算の結果が前記確認キーと対応する旨を受信した場合、第１無線通信部及び第２無線通信部が、前記第２無線通信装置と通信可能である旨を、前記第１無線通信装置が報知する第４ステップと、を有する。
【００３４】
上記方法によれば、第１無線通信装置は、確認キーを、自身の第１無線通信部から第２無線通信装置の第３無線通信部へ送信し、第２無線通信装置は、自身の第３無線通信部で受信した確認キーを、自身の第４無線通信部から第１無線通信装置の第２無線通信部へ送信し、第１無線通信装置は、自身の第２無線通信部で受信した確認キーに対して所定の演算を施し、演算の結果を、自身の第１無線通信部から第２無線通信装置の第３無線通信部へ又は／及び自身の第２無線通信部から第２無線通信装置の第４無線通信部へ送信し、第２無線通信装置は、演算の結果が、第４無線通信部を介して第２無線通信部へ送信した確認キーに対応する場合、演算結果が確認キーと対応する旨を、自身の第３無線通信部から第１無線通信装置の第１無線通信部へ又は／及び自身の第４無線通信部から第１無線通信装置の第２無線通信部へ送信し、第１無線通信装置は、演算の結果が確認キーと対応する旨を受信した場合、自身の第１無線通信部及び第２無線通信部が、第２無線通信装置と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【００３５】
請求項１６の無線通信システムの発明は、少なくとも第１無線通信方式に準拠する第１無線通信部と、少なくとも第２無線通信方式に準拠する第２無線通信部と、を備える第１無線通信装置と、少なくとも前記第１無線通信方式に準拠する第３無線通信部と、少なくとも前記第２無線通信方式に準拠する第４無線通信部と、を備える第２無線通信装置と、を有する無線通信システムであって、前記第１無線通信装置は、確認キーを、前記第１無線通信部を介して前記第３無線通信部へ送信し、前記確認キーを、前記第２無線通信部を介して前記第４無線通信部へ送信し、前記第２無線通信装置は、前記第３無線通信部又は／及び前記第４無線通信部で受信した前記確認キーに対して所定の演算を施し、前記演算の結果を、前記第３無線通信部を介して前記第１無線通信部へ又は／及び前記第４無線通信部を介して前記第２無線通信部へ送信し、前記第１無線通信部又は／及び前記第２無線通信部で受信した前記演算の結果が、前記第１無線通信部及び前記第２無線通信部を介して送信した確認キーと対応する場合、前記第１無線通信装置は、第１無線通信部及び第２無線通信部が、前記第２無線通信装置と通信可能である旨を報知する。
【００３６】
上記構成によれば、第１無線通信装置は、確認キーを、自身の第１無線通信部から第２無線通信装置の第３無線通信部へ送信し、また、確認キーを、自身の第２無線通信部から第２無線通信装置の第４無線通信部へ送信し、第２無線通信装置は、自身の第３無線通信部又は／及び第４無線通信部で受信した確認キーに対して所定の演算を施し、演算の結果を、自身の第３無線通信部から第１無線通信装置の第１無線通信部へ又は／及び自身の第４無線通信部から第１無線通信装置の第２無線通信部へ送信し、第１無線通信装置は、自身の第１無線通信部又は／及び第２無線通信部で受信した演算の結果が、自身の第１無線通信部及び自身の第２無線通信部から送信した確認キーと対応する場合、自身の第１無線通信部及び第２無線通信部が、第２無線通信装置と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【００３７】
請求項１７の無線通信装置の発明は、少なくとも第１無線通信方式に準拠する第１無線通信部と、少なくとも第２無線通信方式に準拠する第２無線通信部と、を備え、確認キーを、前記第１無線通信部を介して送信し、前記確認キーを、前記第２無線通信部を介して送信し、演算の結果を、前記第１無線通信部又は／及び前記第２無線通信部で受信し、前記第１無線通信部又は／及び前記第２無線通信部で受信した前記演算の結果が、前記第１無線通信部及び前記第２無線通信部を介して送信した確認キーと対応する場合、第１無線通信部及び第２無線通信部が、所定の無線通信装置と通信可能である旨を報知する。
【００３８】
上記構成によれば、無線通信装置は、確認キーを、自身の第１無線通信部から送信し、確認キーを、自身の第２無線通信部から送信し、演算の結果を、自身の第１無線通信部又は／及び自身の第２無線通信部で受信し、第１無線通信部又は／及び第２無線通信部で受信した演算の結果が、第１無線通信部及び第２無線通信部から送信した確認キーと対応する場合、第１無線通信部及び第２無線通信部が、所定の無線通信装置と通信可能である旨を報知するので、無線通信装置と所定の無線通信装置とが２つの無線通信方式で接続されているかどうかを簡単且つ短時間で確認することができる。
【００３９】
請求項１８の無線通信装置の発明は、少なくとも第１無線通信方式に準拠する第３無線通信部と、少なくとも第２無線通信方式に準拠する第４無線通信部と、を備え、確認キーを、前記第３無線通信部で受信し、確認キーを、前記第４無線通信部で受信し、前記第３無線通信部又は／及び前記第４無線通信部で受信した前記確認キーに対して所定の演算を施し、前記演算の結果を、前記第３無線通信部又は／及び前記第４無線通信部を介して送信する。
【００４０】
上記構成によれば、無線通信装置は、確認キーを、第３無線通信部で受信し、確認キーを、第４無線通信部で受信し、第３無線通信部又は／及び第４無線通信部で受信した確認キーに対して所定の演算を施し、演算の結果を、第３無線通信部又は／及び第４無線通信部から送信するので、無線通信装置と所定の無線通信装置とが２つの無線通信方式で接続されているかどうかを簡単且つ短時間で確認することができる。
【００４１】
請求項１９の無線通信方法の発明は、少なくとも第１無線通信方式に準拠する第１無線通信部と、少なくとも第２無線通信方式に準拠する第２無線通信部と、を備える第１無線通信装置と、少なくとも前記第１通信方式に準拠する第３無線通信部と、少なくとも前記第２通信方式に準拠する第４無線通信部と、を備える第２無線通信装置と、を有する無線通信システムに関する無線通信方法であって、前記第１無線通信装置が、確認キーを、前記第１無線通信部を介して前記第３無線通信部へ送信する第１ステップと、前記第１無線通信装置が、前記確認キーを、前記第２無線通信部を介して前記第４無線通信部へ送信する第２ステップと、前記第２無線通信装置が、前記第３無線通信部又は／及び前記第４無線通信部で受信した前記確認キーに対して所定の演算を施し、前記演算の結果を、前記第３無線通信部を介して前記第１無線通信部へ又は／及び前記第４無線通信部を介して前記第２無線通信部へ送信する第３ステップと、前記第１無線通信部又は／及び前記第２無線通信部で受信した前記演算の結果が、前記第１無線通信部及び前記第２無線通信部を介して送信した確認キーと対応する場合、前記第１無線通信装置が、第１無線通信部及び第２無線通信部が、前記第２無線通信装置と通信可能である旨を報知する第４ステップと、を有する。
【００４２】
上記方法によれば、第１無線通信装置は、確認キーを、自身の第１無線通信部から第２無線通信装置の第３無線通信部へ送信し、第１無線通信装置は、確認キーを、自身の第２無線通信部から第２無線通信装置の第４無線通信部へ送信し、第２無線通信装置は、自身の第３無線通信部又は／及び自身の第４無線通信部で受信した確認キーに対して所定の演算を施し、演算結果を、自身の第３無線通信部から第１無線通信装置の第１無線通信部へ又は／及び自身の第４無線通信部から第１無線通信装置の第２無線通信部へ送信し、第１無線通信装置は、自身の第１無線通信部又は／及び自身の第２無線通信部で受信した演算の結果が、自身の第１無線通信部及び自身の第２無線通信部から送信した確認キーと対応する場合、自身の第１無線通信部及び第２無線通信部が、第２無線通信装置と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【発明の効果】
【００４３】
本発明によれば、複数の無線通信方式を備えた無線通信装置間で通信確立を行うことと、複数の無線通信方式で接続されているかどうかの確認を簡単且つ短時間で行える。
【図面の簡単な説明】
【００４４】
【図１】本発明の実施の形態１に係る無線通信システムの概略構成を示すブロック図
【図２】本発明の実施の形態１に係る無線通信システムの第１無線通信装置の概略構成を示すブロック図
【図３】本発明の実施の形態１に係る無線通信システムの第２無線通信装置の概略構成を示すブロック図
【図４】本発明の実施の形態１に係る無線通信システムの第１無線通信装置及び第２無線通信装置のペアリング処理時の動作を説明するためのフローチャート
【図５】本発明の実施の形態１に係る無線通信システムのペアリング処理時における伝送路方向のバリエーションの１つを示すシーケンス図
【図６】本発明の実施の形態１に係る無線通信システムの第１無線通信装置のみのペアリング処理を説明するためのフローチャート
【図７】本発明の実施の形態１に係る無線通信システムの第２無線通信装置のみのペアリング処理を説明するためのフローチャート
【図８】本発明の実施の形態１に係る無線通信システムのペアリング開始時の表示例を示す図
【図９】本発明の実施の形態１に係る無線通信システムのペアリング処理中の表示例を示す図
【図１０】本発明の実施の形態１に係る無線通信システムのペアリング成功の表示例を示す図
【図１１】本発明の実施の形態１に係る無線通信システムのペアリング失敗の表示例を示す図
【図１２】本発明の実施の形態１に係る無線通信システムの確認キー照合のバリエーションを示す図
【図１３】本発明の実施の形態１に係る無線通信システムの確認キー照合のバリエーションの具体例を示すシーケンス図
【図１４】本発明の実施の形態１に係る無線通信システムの確認キー照合のバリエーションの具体例を示すシーケンス図
【図１５】本発明の実施の形態２に係る無線通信システムの第１無線通信装置と第２無線通信装置のペアリング処理時の動作を説明するためのフローチャート
【図１６】本発明の実施の形態２、および、実施の形態３に係る無線通信システムのペアリング処理時における伝送路方向のバリエーションの１つを示すシーケンス図
【図１７】本発明の実施の形態２に係る無線通信システムの第１無線通信装置のみのペアリング処理を説明するためのフローチャート
【図１８】本発明の実施の形態２に係る無線通信システムの第２無線通信装置のみのペアリング処理を説明するためのフローチャート
【図１９】本発明の実施の形態３に係る無線通信システムの第１無線通信装置と第２無線通信装置のペアリング処理時の動作を説明するためのフローチャート
【図２０】本発明の実施の形態３に係る無線通信システムの第１無線通信装置のみのペアリング処理を説明するためのフローチャート
【図２１】本発明の実施の形態３に係る無線通信システムの第２無線通信装置のみのペアリング処理を説明するためのフローチャート
【図２２】本発明の実施の形態４に係る無線通信システムの第１無線通信装置と第２無線通信装置のペアリング処理時の動作を説明するためのフローチャート
【図２３】本発明の実施の形態４に係る無線通信システムのペアリング処理時における伝送路方向のバリエーションの１つを示すシーケンス図
【図２４】本発明の実施の形態４に係る無線通信システムの第１無線通信装置のみのペアリング処理を説明するためのフローチャート
【図２５】本発明の実施の形態４に係る無線通信システムの第２無線通信装置のみのペアリング処理を説明するためのフローチャート
【図２６】本発明の実施の形態５に係る無線通信システムの第１無線通信装置と第２無線通信装置のペアリング処理時の動作を説明するためのフローチャート
【図２７】本発明の実施の形態５に係る無線通信システムの第１無線通信装置のみのペアリング処理を説明するためのフローチャート
【図２８】本発明の実施の形態５に係る無線通信システムの第２無線通信装置のみのペアリング処理を説明するためのフローチャート
【発明を実施するための形態】
【００４５】
以下、本発明を実施するための好適な実施の形態について、図面を参照して詳細に説明する。
【００４６】
（実施の形態１）
図１は、本発明の実施の形態１に係る無線通信システムの概略構成を示すブロック図である。図１において、実施の形態１の無線通信システム１Ａは、ワイファイ（以下、ＷｉＦｉと呼ぶ）とブルートゥース（以下、ＢＴと呼ぶ）の２つの無線通信方式で双方向通信が可能な第１，第２無線通信装置１０，２０を備える。第１無線通信装置１０は、スマートフォンと呼ばれる比較的小型の携帯端末（第１の携帯端末）であり、第２無線通信装置２０は、スマートパッドと呼ばれるスマートフォンよりも大型の携帯端末（第２の携帯端末）である。第１，第２無線通信装置１０，２０は、装置本体の大きさに対して大きめの表示部１０１，２０１を有している。各表示部１０１，２０１には複数のアイコン３０，４０が表示される。以下、第１，第２無線通信装置１０，２０それぞれの構成について説明する。
【００４７】
（第１無線通信装置１０の概略構成）
図２は、第１無線通信装置１０の概略構成を示すブロック図である。図２において、第１無線通信装置１０は、前述した表示部１０１の他に、ＣＰＵ１０２、記憶部１０３、入力部１０４、音声入出力部１０５、電源部１０６、電源制御部１０７、３Ｇ通信部１０８、アンテナ１０９、ＷｉＦｉ通信部１１０、アンテナ１１１、ＢＴ通信部１１２及びアンテナ１１３を有している。前記アンテナ１０９，１１１，１１３及び電源部１０６を除く残りの各部１０１，１０２，１０３，１０４，１０５，１０７，１０８，１１０，１１２は内部バス１２０で接続されている。
【００４８】
ＣＰＵ１０２は、装置各部を制御するものであり、記憶部１０３に記憶された制御プログラムに従って動作する。記憶部１０３は、ＣＰＵ１０２を動作させる制御プログラムの記憶の他、本装置１０で扱う各種データを記憶する。入力部１０４は、タッチパネルであり、表示部１０１の表示面の直上に配置され、ユーザの手指がタッチした位置に対応する座標を座標情報として出力する。入力部１０４から出力された座標情報はＣＰＵ１０２に取り込まれる。なお、タッチパネルの方式としては、抵抗膜方式、表面弾性波方式、電磁誘導方式、静電容量方式等があり、スマートフォン等の携帯端末では主に静電容量方式が採用されている。静電容量方式は、手指と導電膜との間における静電容量の変化を捉えて位置を検出する方式である。
【００４９】
音声入出力部１０５は、３Ｇ無線通信時の音声の入出力を行うものであり、図示せぬスピーカ及びマイクを有し、受信した通信相手の音声をスピーカから出力し、第１無線通信装置１０のユーザの音声をマイクより入力する。また、音声入出力部１０５は、音声録音時には、マイクより入力された音声信号をデジタル信号に変換して出力し、ミュージック等の音声ファイルの再生時には、音声ファイルから音声信号を生成してスピーカより出力する。音声信号をデジタル信号に変換して得られた音声データは、記憶部１０３に記憶される。また、音声入出力部１０５は、スピーカから音声を出力することにより、第１無線通信装置１０の内部状態やイベントの発生をユーザに報知する。
【００５０】
表示部１０１は、液晶あるいは有機ＥＬ（Organic Electro-Luminescence）の表示パネルを有し、ＣＰＵ１０２からの表示に関する指示に従って情報を表示する。電源部１０６は、電池（充電可能なものも含む）であり、装置各部に電力を供給する。電源制御部１０７は、電源部１０６の電池残量の監視や省電力制御を行う。３Ｇ通信部１０８は、第３世代の携帯電話方式による無線通信を行う。アンテナ１０９は、３Ｇ通信部１０８の無線通信に用いられるアンテナである。ＷｉＦｉ通信部１１０は、IEEE802.11の無線通信方式に準拠する無線ＬＡＮ通信を行う。アンテナ１１１は、ＷｉＦｉ通信部１１０の無線ＬＡＮ通信に用いられるアンテナである。ＢＴ通信部１１２は、IEEE802.15.1の無線通信方式に準拠し、２．４５ＧＨｚ帯の電波を利用して最高２４Ｍｂｐｓの速度で短距離無線通信を行う。アンテナ１１３は、ＢＴ通信部１１２のＢＴ通信に用いられるアンテナである。
【００５１】
（第２無線通信装置２０の概略構成）
図３は、第２無線通信装置２０の概略構成を示すブロック図である。図３において、第２無線通信装置２０は、前述した表示部２０１の他に、ＣＰＵ２０２、記憶部２０３、入力部２０４、音声出力部２０５、電源部２０６、電源制御部２０７、ＷｉＦｉ通信部２１０、アンテナ２１１、ＢＴ通信部２１２及びアンテナ２１３を有している。前記アンテナ２１１，２１３及び電源部２０６を除く残りの各部２０１，２０２，２０３，２０４，２０５，２０７，２１０，２１２は内部バス２２０で接続されている。
【００５２】
ＣＰＵ２０２は、装置各部を制御するものであり、記憶部２０３に記憶された制御プログラムに従って動作する。記憶部２０３は、ＣＰＵ２０２を動作させる制御プログラムの記憶の他、本装置２０で扱う各種データを記憶する。入力部２０４は、タッチパネルであり、表示部２０１の表示面の直上に配置され、ユーザの手指がタッチした位置に対応する座標を座標情報として出力する。入力部２０４から出力された座標情報はＣＰＵ２０２に取り込まれる。なお、タッチパネルの方式としては、前述したように、抵抗膜方式、表面弾性波方式、電磁誘導方式、静電容量方式等があり、スマートフォン等の携帯端末では主に静電容量方式が採用されている。静電容量方式は、手指と導電膜との間における静電容量の変化を捉えて位置を検出する方式である。
【００５３】
音声出力部２０５は、音声の出力を行うものであり、図示せぬスピーカを有している。音声出力部２０５は、ミュージック等の音声ファイルの再生時には、音声ファイルから音声信号を生成してスピーカより出力する。表示部２０１は、液晶あるいは有機ＥＬの表示パネルを有し、ＣＰＵ２０２からの表示に関する指示に従って情報を表示する。
【００５４】
電源部２０６は、電池（充電可能なものも含む）であり、装置各部に電力を供給する。電源制御部２０７は、電源部２０６の電池残量の監視や省電力制御を行う。ＷｉＦｉ通信部２１０は、前述したＷｉＦｉ通信部１１０と同様のものであり、IEEE802.11の無線通信方式に準拠する無線ＬＡＮ通信を行う。アンテナ２１１は、ＷｉＦｉ通信部２１０の無線ＬＡＮ通信に用いられるアンテナである。ＢＴ通信部２１２は、前述したＢＴ通信部１１２と同様のものであり、IEEE802.15.1の無線通信方式に準拠し、２．４５ＧＨｚ帯の電波を利用して最高２４Ｍｂｐｓの速度で短距離無線通信を行う。アンテナ２１３は、ＢＴ通信部２１２のＢＴ通信に用いられるアンテナである。
【００５５】
第１無線通信装置１０と第２無線通信装置２０はペアリングできるようになっている。ペアリングするときは、第１無線通信装置１０の表示部１０１に表示されているペアリング用アイコン３０ｐと、第２無線通信装置２０の表示部２０１に表示されているペアリング用アイコン４０ｐを同時（１〜２秒のずれがあっても構わない）に押すことで、それぞれの無線通信装置１０，２０でペアリング処理が実行される。以下、ペアリング処理の詳細について図面を参照しながら説明する。
【００５６】
（第１無線通信装置１０と第２無線通信装置２０のペアリング処理）
図４は、第１無線通信装置１０及び第２無線通信装置２０のペアリング処理時の動作を説明するためのフローチャートである。同図面に向かって左側のフローチャートは、第１無線通信装置１０のペアリング処理であり、同図面に向かって右側のフローチャートは、第２無線通信装置２０のペアリング処理である。また、第１無線通信装置１０のペアリング処理のステップＳ１〜Ｓ４と、第２無線通信装置２０のペアリング処理のステップＳ１００〜Ｓ１０４が実行されることでＷｉＦｉ接続が完了し、第１無線通信装置１０のペアリング処理のステップＳ５〜Ｓ９と、第２無線通信装置２０のペアリング処理のステップＳ１０５〜Ｓ１０８が実行されることでＢＴ接続が完了する。ＢＴ接続が完了後、キー照合が行われる。なお、ＷｉＦｉ接続とＢＴ接続の順番は逆であっても構わない。
【００５７】
図４において、第１無線通信装置１０のＣＰＵ１０２は、まずユーザ操作による入力を受け付ける（ステップＳ１）。ユーザは、第１無線通信装置１０と第２無線通信装置１０でペアリングを行う際、第１無線通信装置１０の表示部１０１に表示されているペアリング用アイコン３０ｐ（図１参照）と第２無線通信装置２０の表示部２０１に表示されているペアリング用アイコン４０ｐ（図１参照）を略同時にタッチする。これにより、第１無線通信装置１０のＣＰＵ１０２は、ペアリングのキー入力を受け付ける。そして、ＷｉＦｉ通信部１１０をＡＰ（Access Point）として起動し（ステップＳ２）、ＷｉＦｉセットアップ（ＷＰＳ：WiFi Protected Setup）を行う（ステップＳ３）。ＷｉＦｉセットアップ後、ＡＰとして待ち受けを行う（ステップＳ４）。
【００５８】
一方、第２無線通信装置２０のＣＰＵ２０２は、まずユーザ操作によるキー入力を受け付ける（ステップＳ１００）。なお、ペアリングを行うときの第１無線通信装置１０と第２無線通信装置２０のユーザは主に同一人物である。第２無線通信装置２０のＣＰＵ２０２は、ペリアリングのためのキー入力を受け付けた後、ＷｉＦｉ通信部２１０をＳＴＡ（Station）として起動し（ステップＳ１０１）、ＷｉＦｉセットアップ（ＷＰＳ：WiFi Protected Setup）を行う（ステップＳ１０２）。ＷｉＦｉセットアップ後、プロファイルを作成し（ステップＳ１０３）、その後、ＳＴＡ（Station）として第１無線通信装置１０との間でＷｉＦｉ接続を行う（ステップＳ１０４）。
【００５９】
第１無線通信装置１０のＣＰＵ１０２は、ＡＰで待ち受けを行った後、自身のＢＴアドレスをＷｉＦｉ通信部１１０から第２無線通信装置２０に向けて送信する。一方、第２無線通信装置２０のＣＰＵ２０２は、ＳＴＡで接続を行った後、自身のＢＴアドレスをＷｉＦｉ通信部２１０から第１無線通信装置１０に向けて送信する。第１無線通信装置１０のＣＰＵ１０２は、第２無線通信装置２０から送信されたＢＴスアドレスがＷｉＦｉ通信部１１０で受信された場合、ＰＩＮ（Personal Identification Number）を生成する（ステップＳ５）。次いで、ＢＴ問い合わせスキャンを行い（ステップＳ６）、第２無線通信装置２０からのＢＴ問い合わせ（ステップＳ１０５）に対して応答する。また、生成したＰＩＮをＷｉＦｉ通信部１１０から第２無線通信装置２０に向けて送信する。第１無線通信装置１０のＣＰＵ１０２は、第２無線通信装置２０へＰＩＮを送信した後、ＢＴ接続待ち受けを行い（ステップＳ７）、その後、ＳＳＰ（Secure Simple Pairing）処理を行い（ステップＳ８）、さらに、ＳＰＰ（Serial Port Profile）接続を行う（ステップＳ９）。
【００６０】
一方、第２無線通信装置２０のＣＰＵ２０２は、第１無線通信装置１０に対するＢＴ問い合わせを実施し、第１無線通信装置１０の検索を行う。また、第１無線通信装置１０から送信されてきたＰＩＮが受信された場合、受信されたＰＩＮを使用してＢＴ接続を行い（ステップＳ１０６）、続いてＳＳＰ処理を行い（ステップＳ１０７）、さらに続けてＳＰＰ接続を行う（ステップＳ１０８）。第１無線通信装置１０におけるステップＳ９のＳＰＰ接続処理が終了するとともに、第２無線通信装置２０におけるステップＳ１０８のＳＰＰ接続処理が終了すると、第１無線通信装置１０と第２無線通信装置２０との間のＢＴ接続が完了する。
【００６１】
第１無線通信装置１０のＣＰＵ１０２は、第２無線通信装置２０との間でＢＴ接続が完了した後、確認キーを生成し（ステップＳ１０）、それをＷｉＦｉ通信部１１０から第２無線通信装置２０に向けて送信する。確認キーとしては、例えば、文字列である。ただし文字列に限ることなく、数値や任意のビット列を確認キーとして用いてもよい。なお、確認キーの生成の詳細については後述する。確認キーの送信後、第１無線通信装置１０のＢＴ通信部１１２が、第２無線通信装置２０からＢＴで送信された確認キーを受信した場合、第１無線通信装置１０のＣＰＵ１０２は、受信した確認キーと、先にＷｉＦｉ通信部１１０から送信した確認キーとの照合を行う（ステップＳ１１）。すなわち、ＣＰＵ１０２は、確認キーをＷｉＦｉ通信部１１０から第２無線通信装置２０に向けて送信し、その後、ＢＴ通信部１１２で確認キーが受信された場合、ＢＴ通信部１１２で受信された確認キーと、先にＷｉＦｉ通信部１１０で送信された確認キーとの照合を行う。なお、確認キーの照合の詳細については後述する。第１無線通信装置１０のＣＰＵ１０２は、確認キーを照合した結果、ＷｉＦｉ通信部１１０から送信した確認キーとＢＴ通信部１１２で受信した確認キーとが一致した場合（ステップＳ１２の判定で「ＹＥＳ」の場合）、ペアリングが成功したと判断して、第１無線通信装置１０の表示部１０１にペアリング成功表示を行う（ステップＳ１３）。また、ＣＰＵ１０２は、照合が成功したことを第２無線通信装置２０に通知するために、ＢＴ通信部１１２から第２無線通信装置２０に向けて照合成功通知を送信する。
【００６２】
第１無線通信装置１０のＣＰＵ１０２は、ステップＳ１２において、ＷｉＦｉ通信部１１０から送信した確認キーとＢＴ通信部１１２で受信した確認キーとが一致しない場合（ステップＳ１２の判定で「ＮＯ」の場合）、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。また、ＣＰＵ１０２は、照合が失敗したことを第２無線通信装置２０に通知するために、ＢＴ通信部１１２又はＷｉＦｉ通信部１１０から第２無線通信装置２０に向けて照合失敗通知を送信する。
【００６３】
一方、第２無線通信装置２０のＣＰＵ２０２は、ＢＴ通信部２１２から確認キーを送信した後、照合成功通知を受信したかどうか判定し（ステップＳ１０９）、照合成功通知を受信した場合（ステップＳ１０９の判定で「ＹＥＳ」の場合）、第２無線通信装置２０の表示部２０１にペアリング成功表示を行う（ステップＳ１１０）。これに対し、照合成功通知を受信できなかった場合、もしくは照合失敗通知を受信した場合（ステップＳ１０９の判定で「ＮＯ」の場合）、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。ここで、照合成功通知を受信できない判断はたとえばタイムアウト判定により行う。すなわち、照合成功通知の受信を開始してから所定時間が経過しても照合成功通知の受信が完了しない場合に照合成功通知を受信できなかったと判断する。これにより、ペアリング中に圏外移動などによる通信断が発生した場合にもペアリング失敗をユーザに通知することができる。
【００６４】
実施の形態１の無線通信システム１Ａのペアリング処理は、図５のシーケンス図に示すように、第１無線通信装置１０は、確認キーを生成してＷｉＦｉ通信部１１０から第２無線通信装置２０に向けて送信し、第２無線通信装置２０は、ＷｉＦｉ通信部２１０で確認キーを受信した場合、受信した確認キーをＢＴ通信部２１２から送信し、第１無線通信装置１０は、ＢＴ通信部１１２で確認キーを受信した場合、受信した確認キーと、先にＷｉＦｉ通信部１１０から送信した確認キーとを照合し、ＢＴ通信部１１２で受信した確認キーがＷｉＦｉ通信部１１０から送信した確認キーと対応する場合、第２無線通信装置２０と通信可能である旨であるペアリング成功表示を表示部１０１に表示する。
【００６５】
図６は、第１無線通信装置１０のみのペアリング処理を説明するためのフローチャートである。図６において、第１無線通信装置１０のＣＰＵ１０２は、まずユーザ操作によるキー入力を受け付ける（ステップＳ１）。ユーザは、第１無線通信装置１０の表示部１０１に表示されているペアリング用アイコン３０ｐ（図１参照）をタッチする。これにより、ＣＰＵ１０２は、ペアリングのキー入力を受け付ける。次いで、ＣＰＵ１０２は、ＷｉＦｉ通信部１１０をＡＰとして起動し（ステップＳ２）、ＷｉＦｉセットアップを行う（ステップＳ３）。ＷｉＦｉセットアップ後、ＡＰとして待ち受けを行う（ステップＳ４）。
【００６６】
ＣＰＵ１０２は、ＡＰで待ち受けを行った後、自身のＢＴアドレスをＷｉＦｉ通信部１１０から第２無線通信装置２０に向けて送信する（ステップＳ４Ａ）。次いで、ＣＰＵ１０２は、第２無線通信装置２０から送信されたＢＴスアドレスをＷｉＦｉ通信部１１０で受信する（ステップＳ４Ｂ）。次いで、ＰＩＮを生成し（ステップＳ５）、その後、ＢＴ問い合わせスキャンを行う（ステップＳ６）。そして、ＰＩＮをＷｉＦｉ通信部１１０から第２無線通信装置２０に向けて送信する（ステップＳ６Ａ）。ＣＰＵ１０２は、ＰＩＮを送信した後、ＢＴ接続待ち受けを行い（ステップＳ７）、その後、ＳＳＰ処理を行い（ステップＳ８）、さらに、ＳＰＰ接続を行う（ステップＳ９）。
【００６７】
ＣＰＵ１０２は、第２無線通信装置２０との間でＢＴ接続が完了した後、確認キーを生成し（ステップＳ１０）、それをＷｉＦｉ通信部１１０から第２無線通信装置２０に向けて送信する（ステップＳ１０Ａ）。そして、ＢＴ通信部１１２が確認キーの受信を行う（ステップＳ１０Ｂ）。ＣＰＵ１０２は、ＢＴ通信部１１２が確認キーを受信した場合、その確認キーと、先にＷｉＦｉ通信部１１０から送信した確認キーとの照合を行う（ステップＳ１１）。すなわち、ＣＰＵ１０２は、確認キーをＷｉＦｉ通信部１１０から第２無線通信装置２０に向けて送信し、その後、ＢＴ通信部１１２で確認キーが受信された場合、ＢＴ通信部１１２で受信された確認キーと、先にＷｉＦｉ通信部１１０から送信された確認キーとの照合を行う（ステップＳ１１）。そして、照合ＯＫかどうか判定し（ステップＳ１２）、照合ＯＫの場合（ステップＳ１２の判定で「ＹＥＳ」の場合）、照合が成功したことを第２無線通信装置２０に通知するために、ＢＴ通信部１１２から第２無線通信装置２０に向けて照合成功通知を送信する（ステップＳ１２Ａ）。次いで、表示部１０１にペアリング成功表示を行う（ステップＳ１３）。
【００６８】
ＣＰＵ１０２は、ステップＳ１２の判定において、照合ＯＫでない場合（ステップＳ１２の判定で「ＮＯ」の場合）、照合が失敗したことを第２無線通信装置２０に通知するために、ＢＴ通信部１１２又はＷｉＦｉ通信部１１０から第２無線通信装置２０に向けて照合失敗通知を送信する（ステップＳ１２Ｂ）。次いで、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。ステップＳ１３の処理又はステップＳ１７の処理を行った後、本処理を終える。
【００６９】
図７は、第２無線通信装置２０のみのペアリング処理を説明するためのフローチャートである。図７において、第２無線通信装置２０のＣＰＵ２０２は、まずユーザ操作によるキー入力を受け付ける（ステップＳ１００）。ユーザは、第２無線通信装置２０の表示部２０１に表示されているペアリング用アイコン４０ｐ（図１参照）をタッチする。これにより、ＣＰＵ２０２は、ペアリングのキー入力を受け付ける。次いで、ＣＰＵ２０２は、ＷｉＦｉ通信部２１０をＳＴＡとして起動し（ステップＳ１０１）、ＷｉＦｉセットアップを行う（ステップＳ１０２）。ＷｉＦｉセットアップ後、プロファイルを作成する（ステップＳ１０３）。
【００７０】
ＣＰＵ２０２は、プロファイルの作成後、ＳＴＡとして第１無線通信装置１０との間でＷｉＦｉ接続を行う（ステップＳ１０４）。ＣＰＵ２０２は、ＳＴＡで接続を行った後、ＷｉＦｉ通信部２１０にて、第１無線通信装置１０のＢＴアドレスの受信を行う（ステップＳ１０４Ａ）。次いで、自身のＢＴアドレスをＷｉＦｉ通信部２１０から第１無線通信装置１０に向けて送信する（ステップＳ１０４Ｂ）。第２無線通信装置２０のＢＴアドレスを取得できた後、ＢＴ問い合わせを行う（ステップＳ１０５）。ＣＰＵ２０２は、第１無線通信装置１０に対するＢＴ問い合わせを実施し、第１無線通信装置１０の検索行う。また、第１無線通信装置１０から送信されてきたＰＩＮを受信できた場合（ステップＳ１０５Ａ）、受信されたＰＩＮを使用してＢＴ接続を行う（ステップＳ１０６）。その後、ＳＳＰ処理を行い（ステップＳ１０７）、さらに続けてＳＰＰ接続を行う（ステップＳ１０８）。
【００７１】
ＣＰＵ２０２は、ＳＰＰ接続を行った後、ＷｉＦｉ通信部２１０で確認キーの受信を行い（ステップＳ１０８Ａ）、さらにＢＴ通信部２１２から確認キーの送信を行う（ステップＳ１０８Ｂ）。その後、照合通知の受信を行い（ステップＳ１０８Ｃ）、照合成功通知を受信できたかどうか判定する（ステップＳ１０９）。照合成功通知を受信できた場合（ステップＳ１０９の判定で「ＹＥＳ」の場合）、表示部２０１にペアリング成功表示を行う（ステップＳ１１０）。これに対し、照合成功通知を受信できなかった場合（ステップＳ１０９の判定で「ＮＯ」の場合）、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。ステップＳ１１０の処理又はステップＳ１１４の処理を行った後、本処理を終える。
【００７２】
（ペアリング処理における表示例）
図８は、ペアリング開始時の表示例を示す図である。ユーザが第１無線通信装置１０のペアリング用アイコン３０ｐと第２無線通信装置２０のペアリング用アイコン４０ｐを同時にタッチすることで、第１無線通信装置１０及び第２無線通信装置２０の両方でペアリング処理が開始される。図９は、ペアリング処理中の表示例を示す図である。第１無線通信装置１０及び第２無線通信装置２０の両方で“ペアリング中”と大きく表示される。図１０は、ペアリング成功の表示例を示す図である。ペアリングが成功したときは、ペアリング完了を示す文字（“ペアリング完了”）と共にポップアップ１３０，２３０が表示される。また、ペアリングが完了したことを示すペアリングピクト１４０，２４０を表示させる。図１１は、ペアリング失敗の表示例を示す図である。ペアリングが失敗したときは、ペアリング失敗を示す文字（“ペアリング失敗”）及びその理由（“ＷｉＦｉ圏外”、“ＢＴ圏外”など）と共にポップアップ１３１，２３１が表示される。ＷｉＦｉ通信及びＢＴ通信の両方が成功していないと失敗になる。なお、ポップアップ表示に代えて、音を発生させるようにしても良いし、ポップアップ表示と音の発生の両方を行うようにしてもよい。特に、音を発生させる場合、ペアリング成功と失敗とで音色を変えるようにすることで、音だけでも成功か失敗かを判別することができる。
【００７３】
（確認キー生成のバリエーション、所定の演算のバリエーション及び確認キー照合のバリエーション）
確認キー生成のバリエーションを以下に挙げる。
（１）乱数または擬似乱数で生成する。
（２）機器固有情報に基づいて所定の演算で生成する。
・機器固有情報（そのまま）
ＢＴアドレス、ＭＡＣ（Media Access Control）アドレス
ＥＳＳＩＤ（Extended Service Set Identifier）
製造番号、品番、製造日など
・機器固有情報から擬似乱数生成
・機器固有情報から演算して生成
（３）環境情報に基づいて所定の演算で生成する。
・環境情報（そのまま）
日付、時間、位置情報、気温、湿度、気圧など
・ユーザ名、ログインＩＤなど、無線通信装置の利用者を識別する情報
・環境情報から擬似乱数生成
・環境情報から演算して生成
（４）外部から取得した外部取得情報に基づいて所定の演算で生成する。
・取得情報（そのまま）
・取得情報から擬似乱数生成
・取得情報から演算して生成
【００７４】
ここで、所定の演算とは例えば四則演算、ビット演算などが相当する。また、その他の演算であってもよい。
【００７５】
図１２は、確認キー照合のバリエーションを示す図である。図１２の（ａ）は、２つの確認キーＡ，Ｂが完全に一致した場合に照合されたとみなす例である。具体的には確認キーＡ，Ｂそれぞれの全ビットを比較し、すべてのビットが同じ値である場合に照合されたとみなしている。図１２の（ｂ）は、２つの確認キーＡ，Ｂの一部が一致した場合に照合されたとみなす例である。具体的には確認キーを構成するビットのうち所定位置のビットの比較を行い、同じ値である場合に照合されたとみなしている。なお、確認キーの一部（または全体）から生成した別の値（たとえばハッシュ値、チェックサムなど）を比較することにより、確認キー同士を比較するようにしてもよい。図１２の（ｃ）は、２つの確認キーＡ，Ｂのうちの確認キーＡに所定の演算を行い、その結果Ｆ（Ａ）が確認キーＢと一致する場合に照合されたとみなす例である。図１２の（ｄ）は、２つの確認キーＡ，Ｂに対して所定の演算Ｆ（  ）を行い、その結果Ｆ（Ａ、Ｂ）が所定の条件を満たす場合（例えば、所定の範囲の値である場合）に照合されたとみなす例である。
【００７６】
図１３は、図１２の（ｃ）に示す確認キー照合のバリエーションの具体例を示すシーケンス図である。図１３において、第１無線通信装置１０は確認キーＡおよび確認キーＡに所定の演算Ｆ（  ）を適用した確認キーＦ（Ａ）を第２無線通信装置２０へ送信している。また、第２無線通信装置２０は、受信した確認キーＡと確認キーＦ（Ａ）とを照合する。このとき、第２無線通信装置２０は、受信した確認キーＡに対して所定の演算Ｆ（  ）を行った結果が受信した確認キーＦ（Ａ）と一致する場合に照合されたとみなす。Ｆ（  ）は、具体的にはハッシュ関数のような一方向関数で、第１無線通信装置１０から送信されて、第２無線通信装置２０で受信された受信データＦ（Ａ）と、その後に第１無線通信装置１０から送信されて、第２無線通信装置２０で受信された受信データＡにＦ（  ）を処理したＦ（Ａ）が照合されればＯＫとする。このようにして照合することで、意図しない無線通信装置でのなりすましを防止できる。なぜならば、仮に第１無線通信装置１０になりすましたなりすまし端末がＦ（Ａ）を傍受したとしても、なりすまし端末がＦ（Ａ）からＡを算出するのが困難なため、第１無線通信装置１０が第２無線通信装置２０へＡを送信する前になりすまし端末がＡを第２無線通信装置２０へ送信できないからである。
【００７７】
図１４は、図１２の（ｄ）に示す確認キー照合のバリエーションの具体例１，２を示すシーケンス図である。具体例１では、Ａ，Ｂは無線通信装置の時刻情報で、｜Ｂ−Ａ｜＜Ｄであれば照合ＯＫとする。このようにして照合することで、無線通信装置の時刻精度に依存した照合精度が担保できる。具体例２では、Ａ，Ｂは無線通信装置の位置情報で、｜Ｂ−Ａ｜＜Ｄであれば照合ＯＫとする。このようにして照合することで、無線通信装置の位置精度に依存した照合精度とセキュリティ性が担保できる。なお、位置情報は、例えばＧＰＳ（Global Positioning System）より得ることができる。図１４に示す例においては、第１無線通信装置１０および第２無線通信装置２０が確認キーをそれぞれ生成し、生成した確認キーを照合している。また、第２無線通信装置２０は、受信した確認キーＡと第２無線通信装置２０が生成した確認キーＢとを照合している。これにより、第２無線通信装置２０においても確認キー同士が対応していることを確認できるので１回だけ照合するよりもさらに照合精度が向上する。
【００７８】
このように実施の形態１の無線通信システム１Ａによれば、第１無線通信装置１０は、確認キーを生成してＷｉＦｉ通信部１１０から第２無線通信装置２０に向けて送信し、第２無線通信装置２０は、ＷｉＦｉ通信部２１０で確認キーを受信し、受信した確認キーをＢＴ通信部２１２から送信し、第１無線通信装置１０は、ＢＴ通信部１１２で確認キーを受信すると、ＢＴ通信部１１２で受信した確認キーと、先にＷｉＦｉ通信部１１０から送信した確認キーとを照合し、ＢＴ通信部１１２で受信した確認キーがＷｉＦｉ通信部１１０から送信した確認キーと対応する場合、第２無線通信装置２０と通信可能である旨であるペアリング成功表示を表示部１０１に表示するので、２つの無線通信方式を備えた第１，第２無線通信装置１０，２０間で通信確立を行えるとともに、第１無線通信装置１０と第２無線通信装置２０とが２つの無線通信方式で接続されているかどうかを簡単且つ短時間で確認することができる。
【００７９】
なお、実施の形態１の無線通信システム１Ａでは、第１無線通信装置１０が、ステップＳ１０で確認キーを生成した後、その確認キーをＷｉＦｉ通信部１１０から第２無線通信装置２０に向けて送信し、第２無線通信装置２０が、確認キーをＢＴ通信部２１２から第１無線通信装置１０に向けて送信するようにしたが、この場合の無線通信方式が逆であっても構わない。すなわち、第１無線通信装置１０が、生成した確認キーをＢＴ通信部１１２から第２無線通信装置２０に向けて送信し、第２無線通信装置２０が、確認キーをＷｉＦｉ通信部２１０で第１無線通信装置１０に向けて送信しても構わない。ただし、その際は予めＢＴアドレスを第１無線通信装置１０、および、第２無線通信装置２０に記憶しておく必要がある。
【００８０】
なお、実施の形態１の無線通信システム１Ａでは、第１無線通信装置１０で確認キー生成を実施しているが、これを、第２無線通信装置２０で実施しても良い。ただし、確認キー生成以降の全ての処理は、第１無線通信装置１０と第２無線通信装置２０で逆になる。
【００８１】
（実施の形態２）
上述した実施の形態１の無線通信システム１Ａでは、確認キーの照合を第１無線通信装置１０が行ったが、実施の形態２の無線通信システム１Ｂでは、確認キーの照合を第２無線通信装置２０が行う点に違いがある。実施の形態２の無線通信システム１Ｂの構成は、実施の形態１の無線通信システム１Ａと同じであるので、図１〜図３を援用することとする。
【００８２】
図１５は、実施の形態２の無線通信システム１Ｂの第１無線通信装置１０と第２無線通信装置２０のペアリング処理時の動作を説明するためのフローチャートである。同図面に向かって左側のフローチャートは、第１無線通信装置１０のペアリング処理であり、同図面に向かって右側のフローチャートは、第２無線通信装置２０のペアリング処理である。なお、図１５において、図４に示す実施の形態１の無線通信システム１Ａの処理と共通する処理には同一の符号を付けてその説明を省略する。また、第１無線通信装置１０においては、ステップＳ１〜ステップＳ１０までの各処理、第２無線通信装置２０においては、ステップＳ１００〜ステップＳ１０８までの各処理の説明は省略する。
【００８３】
図１５において、第１無線通信装置１０のＣＰＵ１０２は、ステップＳ１０で確認キーを生成した後、生成した確認キーをＷｉＦｉ通信部１１０とＢＴ通信部１１２の両方から第２無線通信装置２０に向けて送信する。第２無線通信装置２０のＣＰＵ２０２は、ＷｉＦｉ通信部２１０とＢＴ通信部２１２の両方で確認キーが受信された場合、それらの確認キーを照合する（ステップＳ１１５）。第２無線通信装置２０のＣＰＵ２０２は、確認キーを照合した結果、ＷｉＦｉ通信部２１０が受信した確認キーとＢＴ通信部２１２が受信した確認キーとが一致するか否かを判定し（ステップＳ１１６）、一致する場合（ステップＳ１１６の判定で「ＹＥＳ」の場合）、ペアリングが成功と判断し、第２無線通信装置２０の表示部２０１にペアリング成功表示を行う（ステップＳ１１０）。また、第２無線通信装置２０のＣＰＵ２０２は、照合が成功したことを第１無線通信装置１０に通知するために、ＢＴ通信部２１２から第１無線通信装置１０に向けて照合成功通知を送信する。
【００８４】
これに対し、ステップＳ１１６において、ＷｉＦｉ通信部２１０が受信した確認キーとＢＴ通信部２１２が受信した確認キーとが一致しない場合（ステップＳ１１６の判定で「ＮＯ」の場合）、第２無線通信装置２０のＣＰＵ２０２は、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。また、第２無線通信装置２０のＣＰＵ２０２は、照合が失敗したことを第１無線通信装置１０に通知するために、ＢＴ通信部２１２又はＷｉＦｉ通信部２１０から第１無線通信装置１０に向けて照合失敗通知を送信する。ステップＳ１１０の処理又はステップＳ１１４の処理を行った後、本処理を終える。
【００８５】
一方、第１無線通信装置１０のＣＰＵ１０２は、ＷｉＦｉ通信部１１０とＢＴ通信部１１２の両方で確認キーを送信した後、照合成功通知を受信したかどうか判定し（ステップＳ１８）、照合成功通知を受信した場合（ステップＳ１８の判定で「ＹＥＳ」の場合）、第１無線通信装置１０の表示部１０１にペアリング成功表示を行う（ステップＳ１３）。これに対し、照合成功通知を受信できなかった場合、もしくは照合失敗通知を受信した場合（ステップＳ１８の判定で「ＮＯ」の場合）、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。ステップＳ１３の処理又はステップＳ１７の処理を行った後、本処理を終える。
【００８６】
実施の形態２の無線通信システム１Ｂのペアリング処理は、図１６のシーケンス図に示すように、第１無線通信装置１０は、確認キー（Ａ）を生成してＷｉＦｉ通信部１１０とＢＴ通信部１１２の両方から第２無線通信装置２０へ送信し、第２無線通信装置２０は、ＷｉＦｉ通信部２１０とＢＴ通信部２１２の両方で確認キー（Ａ）を受信し、受信した２つの確認キー（Ａ）を照合する。
【００８７】
図１７は、実施の形態２の無線通信システム１Ｂの第１無線通信装置１０のみのペアリング処理を説明するためのフローチャートである。なお、図１７において、図６に示す実施の形態１の無線通信システム１Ａの第１無線通信装置１０のペアリング処理と共通する処理には同一の符号を付けてその説明を省略する。また、ステップＳ１〜ステップＳ１０までの各処理の説明は省略する。
【００８８】
図１７において、第１無線通信装置１０のＣＰＵ１０２は、ステップＳ１０で確認キーを生成した後、生成した確認キーをＷｉＦｉ通信部１１０とＢＴ通信部１１２の両方から第２無線通信装置２０に向けて送信する（ステップＳ１０Ａ，Ｓ１０Ｃ）。ＣＰＵ１０２は、確認キーの送信後、照合通知の受信を行い（ステップＳ１０Ｄ）、照合成功通知を受信できたかどうか判定する（ステップＳ１８）。照合成功通知を受信できた場合（ステップＳ１８の判定で「ＹＥＳ」の場合）、表示部１０１にペアリング成功表示を行う（ステップＳ１３）。これに対し、照合成功通知を受信できなかった場合、もしくは照合失敗通知を受信した場合（ステップＳ１８の判定で「ＮＯ」の場合）、ＣＰＵ１０２は、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。ステップＳ１３の処理又はステップＳ１７の処理を行った後、本処理を終える。
【００８９】
図１８は、実施の形態２の無線通信システム１Ｂの第２無線通信装置２０のみのペアリング処理を説明するためのフローチャートである。図１８において、図７に示す実施の形態１の無線通信システム１Ａの第２無線通信装置２０のペアリング処理と共通する処理には同一の符号を付けてその説明を省略する。また、ステップＳ１００〜ステップＳ１０８Ｄまでの各処理の説明は省略する。
【００９０】
第２無線通信装置２０のＣＰＵ２０２は、ＷｉＦｉ通信部２１０とＢＴ通信部２１２の両方で確認キーが受信された場合、それらの確認キーを照合する（ステップＳ１１５）。そして、確認キーを照合した結果、ＷｉＦｉ通信部２１０が受信した確認キーとＢＴ通信部２１２が受信した確認キーとが一致する場合（ステップＳ１１６の判定で「ＹＥＳ」の場合）、ペアリングが成功と判断して、ＢＴ通信部２１２から第１無線通信装置１０に向けて照合成功通知を送信する（ステップＳ１１６Ａ）。次いで、表示部２０１にペアリング成功表示を行う（ステップＳ１１０）。
【００９１】
これに対し、ステップＳ１１６において、ＷｉＦｉ通信部２１０が受信した確認キーとＢＴ通信部２１２が受信した確認キーとが一致しない場合（ステップＳ１１６の判定で「ＮＯ」の場合）、ＣＰＵ２０２は、照合が失敗したことを第１無線通信装置１０に通知するために、ＢＴ通信部２１２又はＷｉＦｉ通信部２１０から第１無線通信装置１０に向けて照合失敗通知を送信する（ステップＳ１１６Ｂ）。次いで、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。ステップＳ１１０の処理又はステップＳ１１４の処理を行った後、本処理を終える。
【００９２】
このように実施の形態２の無線通信システム１Ｂによれば、第１無線通信装置１０は、確認キーを、ＷｉＦｉ通信部１１０から第２無線通信装置２０のＷｉＦｉ通信部２１０へ送信し、また、第１無線通信装置１０は、確認キーを、ＢＴ通信部１１２から第２無線通信装置２０のＢＴ通信部２１２へ送信し、第２無線通信装置２０は、ＷｉＦｉ通信部２１０で受信した確認キーが、ＢＴ通信部２１２で受信した確認キーと対応する場合、ＢＴ通信部２１２から第１無線通信装置１０のＢＴ通信部１１２へ、２つの確認キーが対応する旨を通知し、第１無線通信装置１０は、２つの確認キーが対応する旨を受信した場合、ＷｉＦｉ通信部１１０及びＢＴ通信部１１２が、第２無線通信装置２０と通信可能である旨を報知するので、２つの無線通信方式を備えた第１，第２無線通信装置１０，２０間で通信確立を行えるとともに、第１無線通信装置１０と第２無線通信装置２０とが２つの無線通信方式で接続されているかどうかを簡単且つ短時間で確認することができる。
【００９３】
なお、実施の形態２の無線通信システム１Ｂでは、第２無線通信装置２０において、ＷｉＦｉ通信部２１０で受信した確認キーが、ＢＴ通信部２１２で受信した確認キーと対応する場合、ＢＴ通信部２１２から第１無線通信装置１０のＢＴ通信部１１２へ２つの確認キーが対応する旨を通知するようにしたが、この場合の無線通信方式が逆であっても構わない。すなわち、ＷｉＦｉ通信部２１０から、第１無線通信装置１０のＷｉＦｉ通信部１１０へ２つの確認キーが対応する旨を通知するようにしても良いし、組み合わせてもよい。
【００９４】
なお、実施の形態２の無線通信システム１Ｂでは、第１無線通信装置１０で確認キー生成を実施しているが、これを、第２無線通信装置２０で実施しても良い。ただし、確認キー生成以降の全ての処理は、第１無線通信装置１０と第２無線通信装置２０で逆になる。
【００９５】
（実施の形態３）
実施の形態３の無線通信システム１Ｃは、上述した実施の形態２の無線通信システム１Ｂと同様に、確認キーの照合を第２無線通信装置２０が行うが、照合の判定については第１無線通信装置１０が行うものである。実施の形態３の無線通信システム１Ｃの構成も実施の形態１の無線通信システム１Ａと同じであるので、図１〜図３を援用することとする。
【００９６】
図１９は、実施の形態３の無線通信システム１Ｃの第１無線通信装置１０と第２無線通信装置２０のペアリング処理時の動作を説明するためのフローチャートである。同図面に向かって左側のフローチャートは、第１無線通信装置１０のペアリング処理であり、同図面に向かって右側のフローチャートは、第２無線通信装置２０のペアリング処理である。なお、図１９において、図４に示す実施の形態１の無線通信システム１Ａの処理と共通する処理には同一の符号を付けてその説明を省略する。また、第１無線通信装置１０においては、ステップＳ１〜ステップＳ１０までの各処理、第２無線通信装置２０においては、ステップＳ１００〜ステップＳ１０８までの各処理の説明は省略する。
【００９７】
第１無線通信装置１０のＣＰＵ１０２は、ステップＳ１０で確認キーを生成した後、生成した確認キーをＷｉＦｉ通信部１１０とＢＴ通信部１１２の両方から送信する。第２無線通信装置２０のＣＰＵ２０２は、ＷｉＦｉ通信部２１０とＢＴ通信部２１２の両方が確認キーを受信した場合、ＷｉＦｉ通信部２１０が受信した確認キーとＢＴ通信部２１２が受信した確認キーとを照合する（ステップＳ１１５）。第２無線通信装置２０のＣＰＵ２０２は、確認キーの照合後、照合結果をＢＴ通信部２１２から第１無線通信装置１０に向けて送信する。第１無線通信装置１０のＣＰＵ１０２は、ＢＴ通信部１１２が照合結果を受信した場合、照合ＯＫかどうか判定し（ステップＳ１２）、ＷｉＦｉ通信部２１０が受信した確認キーとＢＴ通信部２１２が受信した確認キーとが一致する場合（ステップＳ１２の判定で「ＹＥＳ」の場合）、ペアリングが成功と判断して、第１無線通信装置１０の表示部１０１にペアリング成功表示を行う（ステップＳ１３）。また、第１無線通信装置１０のＣＰＵ１０２は、照合が成功したことを第２無線通信装置２０に通知するために、ＢＴ通信部１１２から第２無線通信装置２０に向けて照合成功通知を送信する。
【００９８】
ステップＳ１２において、ＷｉＦｉ通信部２１０が受信した確認キーとＢＴ通信部２１２が受信した確認キーとが一致しない場合（ステップＳ１２の判定で「ＮＯ」の場合）、第１無線通信装置１０のＣＰＵ１０２は、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。また、ＣＰＵ１０２は、照合が失敗したことを第２無線通信装置２０に通知するために、ＢＴ通信部１１２又はＷｉＦｉ通信部１１０から第２無線通信装置２０に向けて照合失敗通知を送信する。ステップＳ１３の処理又はステップＳ１７の処理を行った後、本処理を終える。
【００９９】
一方、第２無線通信装置２０のＣＰＵ２０２は、ＢＴ通信部２１２から第１無線通信装置１０へ確認キーの照合結果を送信した後、照合成功通知を受信したかどうか判定し（ステップＳ１０９）、照合成功通知を受信した場合（ステップＳ１０９の判定で「ＹＥＳ」の場合）、第２無線通信装置２０の表示部２０１にペアリング成功表示を行う（ステップＳ１１０）。これに対し、照合成功通知を受信できなかった場合もしくは照合失敗通知を受信した場合（ステップＳ１０９の判定で「ＮＯ」の場合）、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。ステップＳ１１０の処理又はステップＳ１１４の処理を行った後、本処理を終える。
【０１００】
実施の形態３の無線通信システム１Ｃのペアリング処理は、図１６のシーケンス図に示すように、第１無線通信装置１０は、確認キー（Ａ）を生成してＷｉＦｉ通信部１１０とＢＴ通信部１１２の両方から第２無線通信装置２０へ送信し、第２無線通信装置２０は、ＷｉＦｉ通信部２１０とＢＴ通信部２１２の両方で確認キー（Ａ）を受信し、受信した２つの確認キーを照合する。
【０１０１】
なお、実施の形態３の無線通信システム１Ｃでは、第２無線通信装置２０が、ステップＳ１１５の確認キーの照合を行った後、照合結果をＢＴ通信部２１２から第１無線通信装置１０に向けて送信するようにしたが、この場合の無線通信方式が逆であっても構わない。すなわち、第２無線通信装置２０が、照合結果をＷｉＦｉ通信部２１０から第１無線通信装置１０に向けて送信しても構わない。
【０１０２】
図２０は、実施の形態３の無線通信システム１Ｃの第１無線通信装置１０のみのペアリング処理を説明するためのフローチャートである。なお、図２０において、図６に示す実施の形態１の無線通信システム１Ａの第１無線通信装置１０のペアリング処理と共通する処理には同一の符号を付けてその説明を省略する。また、ステップＳ１〜ステップＳ１０までの各処理の説明は省略する。
【０１０３】
第１無線通信装置１０のＣＰＵ１０２は、ステップＳ１０で確認キーを生成した後、生成した確認キーをＷｉＦｉ通信部１１０から第２無線通信装置２０に向けて送信する（ステップＳ１０Ａ）。さらに、生成した確認キーをＢＴ通信部１１２から第２無線通信装置２０に向けて送信する（ステップＳ１０Ｃ）。確認キーの送信後、ＣＰＵ１０２は、ＢＴ通信部１１２で照合結果を受信する（ステップＳ１０Ｅ）。ＢＴ通信部１１２で照合結果を受信できた場合、照合ＯＫかどうか判定し（ステップＳ１２）、ＷｉＦｉ通信部２１０が受信した確認キーとＢＴ通信部２１２が受信した確認キーとが一致する場合（ステップＳ１２の判定で「ＹＥＳ」の場合）、照合が成功したことを第２無線通信装置２０に通知するために、ＢＴ通信部１１２から第２無線通信装置２０に向けて照合成功通知を送信する（ステップＳ１２Ａ）。次いで、表示部１０１にペアリング成功表示を行う（ステップＳ１３）。
【０１０４】
ステップＳ１２において、ＷｉＦｉ通信部２１０が受信した確認キーとＢＴ通信部２１２が受信した確認キーとが一致しない場合（ステップＳ１２の判定で「ＮＯ」の場合）、ＣＰＵ１０２は、照合が失敗したことを第２無線通信装置２０に通知するために、ＢＴ通信部１１２又はＷｉＦｉ通信部１１０から第２無線通信装置２０に向けて照合失敗通知を送信する（ステップＳ１２Ｂ）。次いで、ＣＰＵ１０２は、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。ステップＳ１３の処理又はステップＳ１７の処理を行った後、本処理を終える。
【０１０５】
図２１は、実施の形態３の無線通信システム１Ｃの第２無線通信装置２０のみのペアリング処理を説明するためのフローチャートである。なお、図２１において、図７に示す実施の形態１の無線通信システム１Ａの第２無線通信装置２０のペアリング処理と共通する処理には同一の符号を付けてその説明を省略する。また、ステップＳ１００〜ステップＳ１０８Ａまでの各処理の説明は省略する。
【０１０６】
第２無線通信装置２０のＣＰＵ２０２は、ＷｉＦｉ通信部２１０で確認キーを受信し（ステップＳ１０８Ａ）、さらにＢＴ通信部２１２で確認キーを受信する（ステップＳ１０８Ｄ）。ＣＰＵ２０２は、ＷｉＦｉ通信部２１０とＢＴ通信部２１２の両方で確認キーを受信した場合、これらの確認キーを照合する（ステップＳ１１５）。ＣＰＵ２０２は、確認キーの照合後、照合結果をＢＴ通信部２１２から第１無線通信装置１０に向けて送信する（ステップＳ１１５Ａ）。次いで、ＣＰＵ２０２は、ＢＴ通信部２１２で照合通知の受信を行い（ステップＳ１０８Ｃ）、照合成功通知を受信したかどうか判定する（ステップＳ１０９）。照合成功通知を受信した場合（ステップＳ１０９の判定で「ＹＥＳ」の場合）、表示部２０１にペアリング成功表示を行う（ステップＳ１１０）。これに対し、照合成功通知を受信できなかった場合もしくは照合失敗通知を受信した場合（ステップＳ１０９の判定で「ＮＯ」の場合）、ＣＰＵ２０２は、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。ステップＳ１１０の処理又はステップＳ１１４の処理を行った後、本処理を終える。
【０１０７】
このように実施の形態３の無線通信システム１Ｃによれば、第１無線通信装置１０は、ＷｉＦｉ通信部１１０が確認キーを第２無線通信装置２０のＷｉＦｉ通信部２１０へ送信し、また、ＢＴ通信部１１２が確認キーを第２無線通信装置２０のＢＴ通信部２１２へ送信し、第２無線通信装置２０は、ＷｉＦｉ通信部２１０で受信した確認キーが、ＢＴ通信部２１２で受信した確認キーと対応する場合、ＢＴ通信部２１２から第１無線通信装置１０のＢＴ通信部１１２へ２つの確認キーが対応する旨を送信するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【０１０８】
なお、実施の形態３の無線通信システム１Ｃでは、第２無線通信装置２０において、ＷｉＦｉ通信部２１０で受信した確認キーを、ＢＴ通信部２１２で受信した確認キーと対応する場合、ＢＴ通信部２１２から第１無線通信装置１０のＢＴ通信部１１２へ２つの確認キーが対応する旨を送信するようにしたが、この場合の無線通信方式が逆であっても構わない。すなわち、ＷｉＦｉ通信部２１０から、第１無線通信装置１０のＷｉＦｉ通信部１１０へ２つの確認キーが対応する旨を送信するようにしても良いし、組み合わせてもよい。
【０１０９】
なお、実施の形態３の無線通信システム１Ｃにおいて、確認キーの送信順序が逆であっても良い。すなわち、ＢＴ通信部１１２が確認キーを第２無線通信装置２０のＢＴ通信部２１２へ送信し、その後、ＷｉＦｉ通信部１１０が確認キーを第２無線通信装置２０のＷｉＦｉ通信部２１０へ送信しても良い。
【０１１０】
なお、実施の形態３の無線通信システム１Ｃにおいて、第１無線通信装置１０で確認キー生成を実施しているが、これを、第２無線通信装置２０で実施しても良い。ただし、確認キー生成以降の全ての処理は、第１無線通信装置１０と第２無線通信装置２０で逆になる。
【０１１１】
（実施の形態４）
実施の形態４の無線通信システム１Ｄは、上述した実施の形態２の無線通信システム１Ｂと同様に確認キーの照合を第２無線通信装置２０が行うが、実施の形態２の無線通信システム１Ｂと異なる点は、第１無線通信装置１０で確認キーを生成した後、生成した確認キーを演算する点である。実施の形態４の無線通信システム１Ｄの構成も実施の形態１の無線通信システム１Ａと同じであるので、図１〜図３を援用することとする。
【０１１２】
図２２は、実施の形態４の無線通信システム１Ｄの第１無線通信装置１０と第２無線通信装置２０のペアリング処理時の動作を説明するためのフローチャートである。同図面に向かって左側のフローチャートは、第１無線通信装置１０のペアリング処理であり、同図面に向かって右側のフローチャートは、第２無線通信装置２０のペアリング処理である。なお、図２２において、図４に示す実施の形態１の無線通信システム１Ａと共通する処理には同一の符号を付けてその説明を省略する。また、第１無線通信装置１０においては、ステップＳ１〜ステップＳ１０までの各処理、第２無線通信装置２０においては、ステップＳ１００〜ステップＳ１０８までの各処理の説明は省略する。
【０１１３】
第１無線通信装置１０のＣＰＵ１０２は、ステップＳ１０で確認キーを生成した後、生成した確認キーをＷｉＦｉ通信部１１０から第２無線通信装置２０に向けて送信する。さらに第２無線通信装置２０からＢＴで送信されてきた確認キーを受信した場合、ステップＳ１０で生成した確認キーに対して演算を行う（ステップＳ２０）。この場合、第１無線通信装置１０のＣＰＵ１０２は、ＷｉＦｉ通信部１１０から送信した確認キー（Ａ）と、第２無線通信装置２０のＢＴ通信部２１２が送信した確認キー（Ｂ）とを演算し、その結果（Ｆ（Ａ，Ｂ）＝Ｃ）をＷｉＦｉ通信部１１０から第２無線通信装置２０に向けて送信する。第２無線通信装置２０のＣＰＵ２０２は、ＷｉＦｉ通信部２１０が確認キーの演算結果を受信した場合、その演算結果を照合する（ステップＳ１１５）。そして、照合した結果が照合ＯＫかどうか判定し（ステップＳ１１６）、照合ＯＫの場合（ステップＳ１１６の判定で「ＹＥＳ」の場合）、ペアリングが成功と判断して、第２無線通信装置２０の表示部２０１にペアリング成功表示を行う（ステップＳ１１０）。また、第２無線通信装置２０のＣＰＵ２０２は、照合が成功したことを第１無線通信装置１０に通知するために、ＢＴ通信部２１２から第１無線通信装置１０に向けて照合成功通知を送信する。
【０１１４】
これに対し、ステップＳ１１６において、照合ＯＫでない場合（ステップＳ１１６の判定で「ＮＯ」の場合）、第２無線通信装置２０のＣＰＵ２０２は、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップ１１４）。また、ＣＰＵ２０２は、照合が失敗したことを第１無線通信装置１０に通知するために、ＢＴ通信部２１２又はＷｉＦｉ通信部２１０から第１無線通信装置１０に向けて照合失敗通知を送信する。ステップＳ１１０の処理又はステップＳ１１４の処理を行った後、本処理を終える。
【０１１５】
一方、第１無線通信装置１０のＣＰＵ１０２は、確認キーの演算を行った後、照合成功通知を受信したかどうか判定し（ステップＳ１８）、照合成功通知を受信した場合（ステップＳ１８の判定で「ＹＥＳ」の場合）、第１無線通信装置１０の表示部１０１にペアリング成功表示を行う（ステップＳ１３）。これに対し、照合成功通知を受信できなかった場合または照合失敗通知を受信した場合（ステップＳ１８の判定で「ＮＯ」の場合）、第１無線通信装置１０のＣＰＵ１０２は、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。ステップＳ１３の処理又はステップＳ１７の処理を行った後、本処理を終える。
【０１１６】
実施の形態４の無線通信システム１Ｄのペアリング処理は、図２３のシーケンス図に示すように、第１無線通信装置１０は、確認キー（Ａ）を生成してＷｉＦｉ通信部１１０から第２無線通信装置２０へ送信し、第２無線通信装置２０は、ＷｉＦｉ通信部２１０で確認キー（Ａ）を受信し、その後、確認キーをＢＴ通信部２１２から第１無線通信装置１０へ送信し、第１無線通信装置１０は、ＷｉＦｉ通信部１１０から送信した確認キー（Ａ）と、ＢＴ通信部１１２で受信した確認キー（Ｂ）とを演算し、その結果（Ｆ（Ａ，Ｂ）＝Ｃ）をＷｉＦｉ通信部１１０又はＢＴ通信部１１２から第２無線通信装置２０に向けて送信する。第２無線通信装置２０は、ＷｉＦｉ通信部２１０又はＢＴ通信部２１２で確認キーの演算結果を受信して照合する。
【０１１７】
なお、実施の形態４の無線通信システム１Ｄでは、第１無線通信装置１０が、ステップＳ１０の確認キーの生成を行った後、ＷｉＦｉ通信部１１０から第２無線通信装置２０に向けて送信し、第２無線通信装置２０が、ＢＴ通信部２１２から確認キーを第１無線通信装置１０に向けて送信するようにしたが、この場合の無線通信方式が逆であっても構わない。すなわち、第１無線通信装置１０が、確認キーをＢＴ通信部１１２から第２無線通信装置２０に向けて送信し、第２無線通信装置２０が、確認キーをＷｉＦｉ通信部２１０から第１無線通信装置１０に向けて送信しても構わない。
【０１１８】
図２４は、実施の形態４の無線通信システム１Ｄの第１無線通信装置１０のみのペアリング処理を説明するためのフローチャートである。なお、図２４において、図６に示す実施の形態１の無線通信システム１Ａの第１無線通信装置１０のペアリング処理と共通する処理には同一の符号を付けてその説明を省略する。また、ステップＳ１〜ステップＳ１０までの各処理の説明は省略する。
【０１１９】
第１無線通信装置１０のＣＰＵ１０２は、ステップＳ１０で確認キーを生成した後、生成した確認キーをＷｉＦｉ通信部１１０から第２無線通信装置２０に向けて送信し、その後、第２無線通信装置２０からＢＴで送信されてきた確認キーを受信した場合、ステップＳ１０で生成した確認キーに対して演算を行う（ステップＳ２０）。この場合、第１無線通信装置１０のＣＰＵ１０２は、ＷｉＦｉ通信部１１０から送信した確認キー（Ａ）と、第２無線通信装置２０のＢＴ送信部２１２が送信した確認キー（Ｂ）とを演算する。そして、演算結果（Ｆ（Ａ，Ｂ）＝Ｃ）をＷｉＦｉ通信部１１０から第２無線通信装置２０に向けて送信する（ステップＳ２０Ａ）。
【０１２０】
ＣＰＵ１０２は、確認キーの演算結果を送信した後、照合通知の受信を行い（ステップＳ２０Ｂ）、照合成功通知を受信したかどうか判定する（ステップＳ１８）。照合成功通知を受信した場合（ステップＳ１８の判定で「ＹＥＳ」の場合）、表示部１０１にペアリング成功表示を行う（ステップＳ１３）。これに対し、照合成功通知を受信できなかった場合または照合失敗通知を受信した場合（ステップＳ１８の判定で「ＮＯ」の場合）、ＣＰＵ１０２は、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。ステップＳ１３の処理又はステップＳ１７の処理を行った後、本処理を終える。
【０１２１】
図２５は、実施の形態４の無線通信システム１Ｄの第２無線通信装置２０のみのペアリング処理を説明するためのフローチャートである。なお、図２５において、図７に示す実施の形態１の無線通信システム１Ａの第２無線通信装置２０のペアリング処理と共通する処理には同一の符号を付けてその説明を省略する。また、ステップＳ１００〜ステップＳ１０８Ｂまでの各処理の説明は省略する。
【０１２２】
第２無線通信装置２０のＣＰＵ２０２は、ＢＴ通信部２１２から確認キーを第１無線通信装置１０に向けて送信した後、ＷｉＦｉ通信部２１０で確認キーの演算結果の受信を行う（ステップＳ１０８Ｅ）。確認キーの演算結果を受信した場合、その演算結果を照合し（ステップＳ１１５）、照合ＯＫかどうか判定する（ステップＳ１１６）。照合ＯＫの場合（ステップＳ１１６の判定で「ＹＥＳ」の場合）、ＣＰＵ２０２は、照合が成功したことを第１無線通信装置１０に通知するために、ＢＴ通信部２１２から第１無線通信装置１０に向けて照合成功通知を送信する（ステップＳ１１６Ａ）。次いで、表示部２０１にペアリング成功表示を行う（ステップＳ１１０）。
【０１２３】
これに対し、ステップＳ１１６において、照合ＯＫでない場合（ステップＳ１１６の判定で「ＮＯ」の場合）、ＣＰＵ２０２は、照合が失敗したことを第１無線通信装置１０に通知するために、ＢＴ通信部２１２又はＷｉＦｉ通信部２１０から第１無線通信装置１０に向けて照合失敗通知を送信する（ステップＳ１１６Ｂ）。次いで、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。ステップＳ１１０の処理又はステップＳ１１４の処理を行った後、本処理を終える。
【０１２４】
このように実施の形態４の無線通信システム１Ｄによれば、第１無線通信装置１０は、確認キーを、ＷｉＦｉ通信部１１０から第２無線通信装置２０のＷｉＦｉ通信部２１０へ送信し、第２無線通信装置２０は、ＷｉＦｉ通信部２１０で受信した確認キーを、ＢＴ通信部２１２から第１無線通信装置１０のＢＴ通信部１１２へ送信し、第１無線通信装置１０は、ＷｉＦｉ通信部１１０から送信した確認キーとＢＴ通信部１１２で受信した確認キーに対して所定の演算を施し、演算の結果を、ＷｉＦｉ通信部１１０から第２無線通信装置２０のＷｉＦｉ通信部２１０へ送信し、第２無線通信装置２０は、受信した演算の結果が、ＷｉＦｉ通信部１１０を介してＷｉＦｉ通信部２１０へ送信した確認キーとＢＴ通信部２１２を介してＢＴ通信部１１２へ送信した確認キーとが対応することを示す場合、確認キーが対応する旨を、ＢＴ通信部２１２から第１無線通信装置１０のＢＴ通信部１１２へ送信し、第１無線通信装置１０は、確認キーが対応する旨を受信した場合、ＷｉＦｉ通信部１１０及びＢＴ通信部１１２が、第２無線通信装置２０と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【０１２５】
なお、実施の形態４の無線通信システム１Ｄでは、第１無線通信装置１０において、ＢＴ通信部１１２で受信した確認キーに対して所定の演算を施し、演算の結果を、ＷｉＦｉ通信部１１０から第２無線通信装置２０のＷｉＦｉ通信部２１０へ送信するようにしたが、この場合の無線通信方式が逆であっても構わない。すなわち、ＢＴ通信部１１２から第２無線通信装置２０のＢＴ通信部２１２へ送信するようにしても構わない。
【０１２６】
また、実施の形態４の無線通信システム１Ｄでは、第２無線通信装置２０において、受信した演算の結果が、ＷｉＦｉ通信部１１０からＷｉＦｉ通信部２１０へ送信した確認キーとＢＴ通信部２１２からＢＴ通信部１１２へ送信した確認キーとが対応することを示す場合、確認キーが対応する旨を、ＢＴ通信部２１２から第１無線通信装置１０のＢＴ通信部１１２へ送信するようにしたが、この場合の無線通信方式が逆であっても構わない。すなわち、ＷｉＦｉ通信部２１０から第１無線通信装置１０のＷｉＦｉ通信部１１０へ送信するようにしても構わない。
【０１２７】
なお、実施の形態４の無線通信システム１Ｄにおいて、第１無線通信装置１０で確認キー生成を実施しているが、これを、第２無線通信装置２０で実施しても良い。ただし、確認キー生成以降の全ての処理は、第１無線通信装置１０と第２無線通信装置２０で逆になる。
【０１２８】
（実施の形態５）
上述した実施の形態４の無線通信システム１Ｄでは、確認キーの演算を第１無線通信装置１０が行ったが、実施の形態５の無線通信システム１Ｅでは、確認キーの演算を第２無線通信装置２０で行うようにしたものである。また、これに伴い、確認キー照合は第１無線通信装置１０が行う。実施の形態５の無線通信システム１Ｅの構成も実施の形態１の無線通信システム１Ａと同じであるので、図１〜図３を援用することとする。
【０１２９】
図２６は、実施の形態５の無線通信システム１Ｅの第１無線通信装置１０と第２無線通信装置２０のペアリング処理時の動作を説明するためのフローチャートである。同図面に向かって左側のフローチャートは、第１無線通信装置１０のペアリング処理であり、同図面に向かって右側のフローチャートは、第２無線通信装置２０のペアリング処理である。なお、図２６において、図４に示す実施の形態１の無線通信システム１Ａと共通する処理には同一の符号を付けてその説明を省略する。また、第１無線通信装置１０においては、ステップＳ１〜ステップＳ１０までの各処理、第２無線通信装置２０においては、ステップＳ１００〜ステップＳ１０８までの各処理の説明は省略する。
【０１３０】
第１無線通信装置１０のＣＰＵ１０２は、ステップＳ１０で確認キーを生成した後、生成した確認キーをＷｉＦｉ通信部１１０とＢＴ通信部１１２の両方から第２無線通信装置２０に向けて送信する。第２無線通信装置２０のＣＰＵ２０２は、ＷｉＦｉ通信部２１０とＢＴ通信部２１２の両方で確認キーを受信した場合、確認キーに対して演算を行う（ステップＳ１１８）。そして、演算結果をＷｉＦｉ通信部２１０から第１無線通信装置１０に向けて送信する。第１無線通信装置１０のＣＰＵ１０２は、ＷｉＦｉ通信部１１０が受信した確認キーの演算結果を照合し（ステップＳ１１）、照合ＯＫかどうか判定する（ステップＳ１２）。照合ＯＫの場合（ステップＳ１２の判定で「ＹＥＳ」の場合）、ペアリングが成功と判断して、第１無線通信装置１０の表示部１０１にペアリング成功表示を行う（ステップＳ１３）。また、第１無線通信装置１０のＣＰＵ１０２は、照合が成功したことを第２無線通信装置２０に通知するために、ＢＴ通信部１１２から第２無線通信装置２０に向けて照合成功通知を送信する。
【０１３１】
これに対し、ステップＳ１２において、照合ＯＫでない場合（ステップＳ１２の判定で「ＮＯ」の場合）、第１無線通信装置１０のＣＰＵ１０２は、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。また、第１無線通信装置１０のＣＰＵ１０２は、照合が失敗したことを第１無線通信装置１０に通知するために、ＢＴ通信部１１２又はＷｉＦｉ通信部１１０から第２無線通信装置２０に向けて照合失敗通知を送信する。ステップＳ１３の処理又はステップＳ１７の処理を行った後、本処理を終える。
【０１３２】
一方、第２無線通信装置２０のＣＰＵ２０２は、確認キーの演算後、照合成功通知を受信したかどうか判定し（ステップＳ１０９）、照合成功通知を受信した場合（ステップＳ１０９の判定で「ＹＥＳ」の場合）、第２無線通信装置２０の表示部２０１にペアリング成功表示を行う（ステップＳ１１０）。これに対し、照合成功通知を受信できなかった場合または照合失敗通知を受信した場合（ステップＳ１０９の判定で「ＮＯ」の場合）、第２無線通信装置２０のＣＰＵ２０２は、ＢＴ通信部２１２による接続を解除すなわちＢＴ切断を行い（ステップＳ１１１）、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。ステップＳ１１０の処理又はステップＳ１１４の処理を行った後、本処理を終える。
【０１３３】
実施の形態５の無線通信システム１Ｅのペアリング処理では、第１無線通信装置１０が、確認キーを生成してＷｉＦｉ通信部１１０とＢＴ通信部１１２の両方から第２無線通信装置２０へ送信し、第２無線通信装置２０は、ＷｉＦｉ通信部２１０とＢＴ通信部２１２の両方で確認キーを受信し、受信した２つの確認キーに対して演算を行い、その結果をＷｉＦｉ通信部２１０から第１無線通信装置１０に向けて送信し、第１無線通信装置１０は、ＷｉＦｉ通信部１１０で確認キーの演算結果を受信して照合する。
【０１３４】
なお、実施の形態５の無線通信システム１Ｅでは、第２無線通信装置２０が、ステップＳ１１８の確認キーの演算を行った後、その演算結果をＷｉＦｉ通信部２１０から第１無線通信装置１０に向けて送信するようにしたが、この場合の無線通信方式が逆であっても構わない。すなわち、第２無線通信装置２０が、確認キーの演算結果をＢＴ通信部２１２から第１無線通信装置１０に向けて送信しても構わない。
【０１３５】
図２７は、実施の形態５の無線通信システム１Ｅの第１無線通信装置１０のみのペアリング処理を説明するためのフローチャートである。なお、図２７において、図６に示す実施の形態１の無線通信システム１Ａの第１無線通信装置１０のペアリング処理と共通する処理には同一の符号を付けてその説明を省略する。また、ステップＳ１〜ステップＳ１０までの各処理の説明は省略する。
【０１３６】
第１無線通信装置１０のＣＰＵ１０２は、ステップＳ１０で確認キーを生成した後、生成した確認キーをＷｉＦｉ通信部１１０から第２無線通信装置２０に向けて送信する（ステップＳ１０Ａ）。さらに、生成した確認キーをＢＴ通信部１１２から第２無線通信装置２０に向けて送信する（ステップＳ１０Ｃ）。確認キーの送信後、ＣＰＵ１０２は、ＷｉＦｉ通信部１１０で、第２無線通信装置２０から送信される演算結果の受信を行う（ステップＳ１０Ｄ）。そして、演算結果を受信した場合、ＷｉＦｉ通信部１１０が受信した確認キーの演算結果を照合し（ステップＳ１１）、照合ＯＫかどうか判定する（ステップＳ１２）。照合ＯＫの場合（ステップＳ１２の判定で「ＹＥＳ」の場合）、照合が成功したことを第２無線通信装置２０に通知するために、ＢＴ通信部１１２から第２無線通信装置２０に向けて照合成功通知を送信する（ステップＳ１２Ａ）。次いで、表示部１０１にペアリング成功表示を行う（ステップＳ１３）。
【０１３７】
これに対し、ステップＳ１２において、照合ＯＫでない場合（ステップＳ１２の判定で「ＮＯ」の場合）、ＣＰＵ１０２は、照合が失敗したことを第２無線通信装置２０に通知するために、ＢＴ通信部１１２又はＷｉＦｉ通信部１１０から第２無線通信装置２０に向けて照合失敗通知を送信する（ステップＳ１２Ｂ）。次いで、ＢＴ通信部１１２による接続を解除すなわちＢＴ切断を行い（ステップＳ１４）、続けてＷｉＦｉ通信部１１０による接続を解除すなわちＷｉＦｉ切断を行う（ステップＳ１５）。さらに、ペアリング情報を消去して（ステップＳ１６）、表示部１０１にペアリング失敗表示を行う（ステップＳ１７）。ステップＳ１３の処理又はステップＳ１７の処理を行った後、本処理を終える。
【０１３８】
図２８は、実施の形態５の無線通信システム１Ｅの第２無線通信装置２０のみのペアリング処理を説明するためのフローチャートである。なお、図２８において、図７に示す実施の形態１の無線通信システム１Ａの第２無線通信装置２０のペアリング処理と共通する処理には同一の符号を付けてその説明を省略する。また、ステップＳ１００〜ステップＳ１０８Ｄまでの各処理の説明は省略する。
【０１３９】
第２無線通信装置２０のＣＰＵ２０２は、ＷｉＦｉ通信部２１０とＢＴ通信部２１２の両方で確認キーが受信された場合、確認キーに対して演算を行う（ステップＳ１１８）。そして、演算して得られた結果をＷｉＦｉ通信部２１０から第１無線通信装置１０に向けて送信する（ステップＳ１１８Ａ）。演算結果を第１無線通信装置１０へ送信した後、ＣＰＵ２０２は、第１無線通信装置１０から送信される照合通知の受信を行う（ステップＳ１１８Ｂ）。ＣＰＵ２０２は、照合通知の受信開始後、照合成功通知を受信できたかどうか判定し（ステップＳ１０９）、照合成功通知を受信できた場合（ステップＳ１０９の判定で「ＹＥＳ」の場合）、表示部２０１にペアリング成功表示を行う（ステップＳ１１０）。これに対し、照合成功通知を受信できなかった場合または照合失敗通知を受信した場合（ステップＳ１０９の判定で「ＮＯ」の場合）、ＣＰＵ２０２は、ＢＴ通信部２１２による接続を解除すなわちＢＴ切断を行い（ステップＳ１１１、続けてＷｉＦｉ通信部２１０による接続を解除すなわちＷｉＦｉ切断を行う（ステップＳ１１２）。さらに、ペアリング情報を消去して（ステップＳ１１３）、表示部２０１にペアリング失敗表示を行う（ステップＳ１１４）。ステップＳ１１０の処理又はステップＳ１１４の処理を行った後、本処理を終える。
【０１４０】
このように実施の形態５の無線通信システム１Ｅによれば、第１無線通信装置１０は、確認キーを、ＷｉＦｉ通信部１１０から第２無線通信装置２０のＷｉＦｉ通信部２１０へ送信し、また、第１無線通信装置１０は、確認キーを、ＢＴ通信部１１２から第２無線通信装置２０のＢＴ通信部２１２へ送信し、第２無線通信装置２０は、ＷｉＦｉ通信部２１０及びＢＴ通信部２１２で受信した確認キーに対して所定の演算を施し、演算の結果を、ＷｉＦｉ通信部２１０から第１無線通信装置１０のＷｉＦｉ通信部１１０へ送信し、第１無線通信装置１０は、ＷｉＦｉ通信部１１０で受信した演算の結果が、ＷｉＦｉ通信部１１０及びＢＴ通信部１１２から送信した確認キーが対応することを示す場合、ＷｉＦｉ通信部１１０及びＢＴ通信部１１２が、第２無線通信装置２０と通信可能である旨を報知するので、２つの無線通信方式を備えた第１，第２の無線通信装置間で通信確立が行えるとともに、第１無線通信装置と第２無線通信装置とが２つの無線通信方式で接続されているかどうかを簡単且つ短時間で確認することができる。
【０１４１】
なお、実施の形態５の無線通信システム１Ｅでは、第２無線通信装置２０において、ＷｉＦｉ通信部２１０及びＢＴ通信部２１２で受信した確認キーに対して所定の演算を施すようにしたが、ＷｉＦｉ通信部２１０又はＢＴ通信部２１２で受信した確認キーに対して所定の演算を施すようにしても良い。
【０１４２】
なお、実施の形態５の無線通信システム１Ｅでは、第１無線通信装置１０が、確認キーを生成してＷｉＦｉ通信部１１０とＢＴ通信部１１２の両方から第２無線通信装置２０へ送信したが、その送信する順序はＢＴ通信部１１２が先であっても良い。
【０１４３】
また、前記演算の結果を、ＷｉＦｉ通信部２１０から第１無線通信装置１０のＷｉＦｉ通信部１１０へ送信するようにしたが、前記演算の結果を、ＢＴ通信部２１２から第１無線通信装置１０のＢＴ通信部１１２へ送信するようにしても良い。
【０１４４】
なお、実施の形態５の無線通信システム１Ｅにおいて、第１無線通信装置１０で確認キー生成を実施しているが、これを、第２無線通信装置２０で実施しても良い。ただし、確認キー生成以降の全ての処理は、第１無線通信装置１０と第２無線通信装置２０で逆になる。
【０１４５】
なお、実施の形態１〜５の無線通信システム１Ａ〜１Ｅそれぞれの第１無線通信装置１０及び第２無線通信装置２０のペアリング処理を記述したプログラムを、磁気ディスク、光ディスク、光磁気ディスク、半導体メモリ等の記憶媒体に格納して、あるいは通信により配布することが可能である。
【産業上の利用可能性】
【０１４６】
本発明は、複数の無線通信方式を備えた無線通信装置間で通信確立を行うことと、複数の無線通信方式で接続されているかどうかの確認を簡単且つ短時間で行えるといった効果を有し、スマートフォンやスマートパッドと呼ばれる無線通信装置、および、携帯電話、ＰＤＡ、ＰＣ、テレビ、レコーダ等の無線通信機能を備えた装置への適用が可能である。
【符号の説明】
【０１４７】
１Ａ〜１Ｅ  無線通信システム
１０  第１無線通信装置
２０  第２無線通信装置
３０，４０  アイコン
３０ｐ，４０ｐ  ペアリング用アイコン
１０１，２０１  表示部
１０２，２０２  ＣＰＵ
１０３，２０３  記憶部
１０４，２０４  入力部
１０５  音声入出力部
１０６，２０６  電源部
１０７，２０７  電源制御部
１０８  ３Ｇ通信部
１０９，１１１，１１３，２１１，２１３  アンテナ
１１０，２１０  ＷｉＦｉ通信部
１１２，２１２  ＢＴ通信部
１２０，２２０  内部バス
１３０，１３１，２３０，２３１  ポップアップ
１４０，２４０  ペアリングピクト
２０５  音声出力部
【図１】
2012175148.tif 000003
【図２】
2012175148.tif 000004
【図３】
2012175148.tif 000005
【図４】
2012175148.tif 000006
【図５】
2012175148.tif 000007
【図６】
2012175148.tif 000008
【図７】
2012175148.tif 000009
【図８】
2012175148.tif 000010
【図９】
2012175148.tif 000011
【図１０】
2012175148.tif 000012
【図１１】
2012175148.tif 000013
【図１２】
2012175148.tif 000014
【図１３】
2012175148.tif 000015
【図１４】
2012175148.tif 000016
【図１５】
2012175148.tif 000017
【図１６】
2012175148.tif 000018
【図１７】
2012175148.tif 000019
【図１８】
2012175148.tif 000020
【図１９】
2012175148.tif 000021
【図２０】
2012175148.tif 000022
【図２１】
2012175148.tif 000023
【図２２】
2012175148.tif 000024
【図２３】
2012175148.tif 000025
【図２４】
2012175148.tif 000026
【図２５】
2012175148.tif 000027
【図２６】
2012175148.tif 000028
【図２７】
2012175148.tif 000029
【図２８】
2012175148.tif 000030